(57)【要約】【課題】まつ毛の実質的に一部にだけ正確にマスカラを適用すること。【解決手段】まつ毛のメイクアップのためのおよび／またはまつ毛のケアのためのキットであって、まつ毛用の少なくとも２つの組成物（ｉ）および（ｉｉ）を具備している場合に、−組成物（ｉ）および（ｉｉ）のうちの少なくとも一方が、連続的な油性相を含有し、−組成物（ｉｉ）の乾燥抽出物が、組成物（ｉ）の乾燥抽出物よりも、組成物の総重量に対して２重量％（絶対値）以上大きなものとし、キットが、まつ毛フリンジに対しての適用手段を具備し、この適用手段が、列状で支持部（５）上に配置された複数の適用部材（６；６０）を備え、これら適用部材の長さが、これら適用部材（６；６０）がまつ毛フリンジのまつ毛の４分の１を超えないようにして同時接触するものとされている。【選択図】図１
2007289696.tif 000002
【特許請求の範囲】
【請求項１】
まつ毛のメイクアップのためのおよび／またはまつ毛のケアのためのキットであって、
まつ毛のメイクアップのためのおよび／またはまつ毛のケアのための少なくとも２つの組成物（ｉ）および（ｉｉ）を具備している場合に、
−前記組成物（ｉ）および（ｉｉ）のうちの少なくとも一方が、連続的な油性相を含有し、
−前記組成物（ｉｉ）の乾燥抽出物が、前記組成物（ｉ）の乾燥抽出物よりも、前記組成物の総重量に対して２重量％（絶対値）以上大きなものとし、
前記キットが、まつ毛フリンジに対しての適用手段を具備し、
この適用手段が、少なくとも１つの列という態様でもって支持部（５）上に配置された複数の適用部材（６；６０）を備え、
これら適用部材の長さが、これら適用部材（６；６０）がまつ毛フリンジのまつ毛の４分の１を超えないようにして同時接触するものとされていることを特徴とするキット。
【請求項２】
まつ毛のメイクアップのためのおよび／またはまつ毛のケアのためのキットであって、
まつ毛のメイクアップのためのおよび／またはまつ毛のケアのための少なくとも２つの組成物（ｉ）および（ｉｉ）を具備している場合に、
−前記組成物（ｉ）および（ｉｉ）のうちの少なくとも一方が、油性の連続相を含有し、
−前記組成物（ｉ）の乾燥抽出物が、前記組成物の総重量に対して、４２重量％以下とされ、
−前記組成物（ｉｉ）の乾燥抽出物が、前記組成物の総重量に対して、４２重量％よりも大きいものとされ、
前記キットが、まつ毛フリンジに対しての適用手段を具備し、
この適用手段が、少なくとも１つの列という態様でもって支持部（５）上に配置された複数の適用部材（６；６０）を備え、
これら適用部材の長さが、これら適用部材（６；６０）がまつ毛フリンジのまつ毛の４分の１を超えないようにして同時接触するものとされていることを特徴とするキット。
【請求項３】
請求項１または２記載のキットにおいて、
前記適用手段が、
−ステム（４）と、
−このステム（４）に対して連結されているとともにこのステムの長手方向軸線（Ｙ）に沿って延在している支持部（５；６１）と、
−前記支持部（５）上に設置されているとともに、前記長手方向軸線（Ｙ）に対して実質的に横方向に延在している複数の適用部材（６；６０）と、
を備え、
前記支持部の前記長手方向軸線（Ｙ）に沿っての、前記適用部材（６；６０）の延在長さが、これら適用部材（６；６０）がまつ毛フリンジのまつ毛の４分の１を超えないようにして同時接触するものとされ、
前記長手方向軸線（Ｙ）が、まつ毛フリンジに対して実質的に接線方向を向いたものとされることを特徴とするキット。
【請求項４】
請求項１〜３のいずれか１項に記載のキットにおいて、
前記適用部材が、自由端（３０）を有し、
前記長手方向軸線（Ｙ）からのそれら自由端（３０）までの距離が、前記列（１０）をなす前記適用部材の両端部間にわたって、非単調的な態様で変化するものとされていることを特徴とするキット。
【請求項５】
請求項１〜４のいずれか１項に記載のキットにおいて、
前記適用部材（６）が、歯を有していることを特徴とするキット。
【請求項６】
請求項１〜５のいずれか１項に記載のキットにおいて、
前記適用部材（６）が、前記支持部（５）上において、０．１〜１ｃｍという距離（ｄ）にわたって延在していることを特徴とするキット。
【請求項７】
請求項１〜６のいずれか１項に記載のキットにおいて、
第１列をなす適用部材（６）と、第２列をなす適用部材（６）と、が設けられ、
これら第１列をなす適用部材（６）と第２列をなす適用部材（６）とが、互いに平行に延在していることを特徴とするキット。
【請求項８】
請求項１または２記載のキットにおいて、
櫛を備えていることを特徴とするキット。
【請求項９】
請求項１〜８のいずれか１項に記載のキットにおいて、
前記組成物（ｉｉ）の乾燥抽出物が、前記組成物（ｉ）の乾燥抽出物よりも、前記組成物の総重量に対して３重量％（絶対値）以上大きなものとされていることを特徴とするキット。
【請求項１０】
請求項２〜９のいずれか１項に記載のキットにおいて、
前記組成物（ｉ）の乾燥抽出物が、前記組成物の総重量に対して、４０重量％以下とされ、
前記組成物（ｉｉ）の乾燥抽出物が、前記組成物の総重量に対して、４５重量％以上とされていることを特徴とするキット。
【請求項１１】
請求項１〜１０のいずれか１項に記載のキットにおいて、
前記組成物（ｉ）および（ｉｉ）のうちの少なくとも一方が、少なくとも１つのワックスを含有していることを特徴とするキット。
【請求項１２】
請求項１１記載のキットにおいて、
前記組成物（ｉ）が、前記組成物（ｉ）の総重量に対して１９重量％以下というワックス含有量を有していることを特徴とするキット。
【請求項１３】
請求項１１記載のキットにおいて、
前記組成物（ｉｉ）が、前記組成物（ｉｉ）の総重量に対して２０重量％以上とされたワックス含有量を有していることを特徴とするキット。
【請求項１４】
請求項１〜１３のいずれか１項に記載のキットにおいて、
特に容器の態様とされた１つのかつ同一のパッケージからなり、
このパッケージが、前記組成物（ｉ）を収容する少なくとも１つの隔室と、前記組成物（ｉｉ）を収容する少なくとも１つの隔室と、を構成し、
前記両隔室が、閉塞部材によって閉塞されることを特徴とするキット。
【請求項１５】
まつ毛のメイクアップのためのおよび／または非治療的なまつ毛のケアのための方法であって、
−組成物（ｉ）からなる少なくとも１つのコーティングをまつ毛に対して適用するというステップを少なくとも１回にわたって行い、
−組成物（ｉｉ）からなる少なくとも１つのコーティングをまつ毛に対して適用するというステップを少なくとも１回にわたって行う、
という場合において、
−前記両組成物を、前記組成物（ｉ）および（ｉｉ）のうちの少なくとも一方が、連続的な油性相を含有するものとし、
−前記組成物（ｉｉ）の乾燥抽出物を、前記組成物（ｉ）の乾燥抽出物よりも、前記組成物の総重量に対して２重量％（絶対値）以上大きなものとし、
前記組成物（ｉｉ）を適用するという前記ステップを、まつ毛フリンジに対しての適用手段を使用して行い、
この適用手段を、少なくとも１つの列という態様でもって支持部（５）上に配置された複数の適用部材（６；６０）を備えたものとし、
これら適用部材の長さを、これら適用部材（６；６０）がまつ毛フリンジのまつ毛の４分の１を超えないようにして同時接触するものとすることを特徴とする方法。
【発明の詳細な説明】
【技術分野】
【０００１】
本発明は、まつ毛のメイクアップのためのおよび／またはまつ毛のケアのためのキットに関するものであって、まつ毛のメイクアップのためのおよび／またはまつ毛のケアのための少なくとも２つの組成物（あるいは、マスカラ）を具備するとともに、一方の組成物が、チャージ用の組成物であり、さらに、キットが、そのようなチャージ用の化粧用組成物を、まつ毛のフリンジの一部に対してのみ適用するための、とりわけ、まつ毛フリンジの外側３分の１を超えずに適用するための、手段を具備している。
【背景技術】
【０００２】
まつ毛に関して斬新なメイクアップ効果を得ることが要望されており、特に、まつ毛フリンジの実質的に一部にだけマスカラを適用することが要望されている。
【０００３】
標準的なブラシタイプのまたは櫛タイプのアプリケータを使用した場合には、塊状物を形成させないようにしつつまつ毛の一部に対してのみ材料を正確に適用することが困難であることが、判明している。
【０００４】
実際、特定のメイクアップ効果を得るに際し、まつ毛フリンジの非結合領域上にコントラスト材料を適用することに興味が持たれている。
【特許文献１】欧州特許出願公開第８４７  ７５２号明細書
【特許文献２】フランス国特許出願公開第２７９２１９０号
【特許文献３】フランス国特許出願公開第２２３２３０３号
【特許文献４】米国特許第５１６２４１０号
【特許文献５】国際特許出願国際公開第２００４／０７３  ６２６号
【特許文献６】米国特許第５，８７４，０６９号
【特許文献７】米国特許第５，９１９，４４１号
【特許文献８】米国特許第６，０５１，２１６号
【特許文献９】米国特許第５，９８１，６８０号
【特許文献１０】欧州特許出願公開第１  ４１１  ０６９号明細書
【特許文献１１】国際特許出願国際公開第０４／０２８  ４８８号
【特許文献１２】欧州特許出願公開第７４９  ７４６号明細書
【特許文献１３】国際特許出願国際公開第０４／０５５  ０８１号
【特許文献１４】欧州特許出願公開第１  ６４７  ２６８号明細書
【特許文献１５】米国特許第３，９０７，７２０号
【特許文献１６】米国特許第４，５８４，１９２号
【特許文献１７】フランス国特許出願公開第２７０１１９８号
【特許文献１８】フランス国特許出願公開第２６０５５０５号
【特許文献１９】欧州特許出願公開第７９２  ６０３号明細書
【特許文献２０】欧州特許出願公開第６６３  １６１号明細書
【特許文献２１】米国特許第４，８８７，６２２号
【特許文献２２】フランス国特許出願公開第２  ７９６  ５２９号
【特許文献２３】フランス国特許出願公開第２  ７６１  ９５９号
【特許文献２４】フランス国特許出願公開第２  ７９２  ６１８号
【特許文献２５】米国特許第５９３７８７０号
【特許文献２６】フランス国特許出願公開第２６０５５０５号
【特許文献２７】米国特許第６５８１６１０号
【特許文献２８】国際特許出願国際公開第０１／０５２７１号
【特許文献２９】米国特許第６５３９９５０号
【発明の開示】
【課題を解決するための手段】
【０００５】
本発明者らは、まつ毛の一部に対してより多くの量のメイクアップを適用することにより、特にまつ毛フリンジの３分の１を超えることなく多量の成膜物を適用することにより、より特にまつ毛フリンジの外側部分に対してより多くの量のメイクアップを適用することにより、格別のメイクアップ効果が得られることを見出した。すなわち、目の開き具合を大きく見せて目を大きく見せ、さらには、目の輪郭形状の見え方を変更するような格別のメイクアップ効果が得られることを見出した。フリンジの外側部分においてフリンジの３分の１を超えることなく多量の成膜を行うこのようなメイクアップにより、アーモンド形状のおよび引き伸ばされた目の印象がもたらされ、外側コーナー部分が持ち上げられる（目に対する『リフティング』効果）。
【０００６】
よって、本発明は、このような特定のメークアップ目的を容易に達成し得るような手段に関するものである。
【０００７】
一見地においては、本発明の１つの目的は、まつ毛のメイクアップのためのおよび／またはまつ毛のケアのためのキットであって、まつ毛のメイクアップのためのおよび／またはまつ毛のケアのための少なくとも２つの組成物（ｉ）および（ｉｉ）を具備している場合に、
−組成物（ｉ）および（ｉｉ）のうちの少なくとも一方が、連続的な油性相を含有し、
−組成物（ｉｉ）の乾燥抽出物が、組成物（ｉ）の乾燥抽出物よりも、組成物の総重量に対して２重量％（絶対値）以上大きなものとし、
キットが、まつ毛フリンジに対しての適用手段を具備し、
この適用手段が、少なくとも１つの列という態様でもって支持部（５）上に配置された複数の適用部材（６；６０）を備え、
これら適用部材の長さが、これら適用部材（６；６０）がまつ毛フリンジの４分の１を超えないようにして同時接触するものとされているキットである。
【０００８】
この見地において、本発明の主題は、また、まつ毛のメイクアップのためのおよび／またはまつ毛のケアのためのキットであって、まつ毛のメイクアップのためのおよび／またはまつ毛のケアのための少なくとも２つの組成物（ｉ）および（ｉｉ）を具備している場合に、
−組成物（ｉ）および（ｉｉ）のうちの少なくとも一方が、油性の連続相を含有し、
−組成物（ｉ）の乾燥抽出物が、組成物の総重量に対して、４２重量％以下とされ、
−組成物（ｉｉ）の乾燥抽出物が、組成物の総重量に対して、４２重量％よりも大きいものとされ、
キットが、まつ毛フリンジに対しての適用手段を具備し、
この適用手段が、少なくとも１つの列という態様でもって支持部（５）上に配置された複数の適用部材（６；６０）を備え、
これら適用部材の長さが、これら適用部材（６；６０）がまつ毛フリンジの４分の１を超えないようにして同時接触するものとされているキットである。
【０００９】
よって、本発明者らは、組成物（ｉ）および組成物（ｉｉ）をまつ毛に対して適用するに際して、それら組成物のうちの少なくとも一方を、そのような特定の適用手段を使用して適用することにより、より好ましくは、組成物（ｉｉ）を、そのような特定の適用手段を使用して適用することにより、まつ毛フリンジの一部においてのみ、例えば、まつ毛フリンジの外側部分の３分の１を超えない部分においてのみ、よりボリューム感のある成膜あるいはより濃厚な成膜を、容易に行うことができる。
【００１０】
特に、組成物（ｉ）により、まつ毛に対してより容易に適用し得るとともにまつ毛に対するコーティングやまつ毛どうしの分離やおよび／またはまつ毛の引き伸ばしを行い得るような、スムーズで一様な成膜物を得ることができる。組成物（ｉ）により、より薄く成膜するというメイクアップを行うことができる。すなわち、まつ毛に対して濃い化粧を施さないメークアップを行うことができる。これにより、自然なメイクアップ結果が得られる。その後、この最初のメイクアップフィルム上に組成物（ｉｉ）を適用することにより、組成物（ｉｉ）の合計ワックス固体含有量が大きいことのために、まつ毛フリンジの一部のみにおいて、例えば、まつ毛フリンジのの外側部分の３分の１を超えない部分のみにおいて、より多量の材料を成膜することができる。
【００１１】
よって、本発明によるキットにより、かなり美観性を損ねるような『小塊（blobs ）』の形成を回避しつつ、組成物（ｉ）の成膜に基づくメイクアップと組成物（ｉｉ）乗せに基づくメイクアップとの間のコントラストを強調することができる。
【００１２】
第２見地においては、本発明は、まつ毛のメイクアップのためのおよび／または非治療的なまつ毛のケアのための方法に関するものであり、この方法においては、
−上述したような組成物（ｉ）からなる少なくとも１つのコーティングをまつ毛に対して適用するというステップを少なくとも１回にわたって行い、
−上述したような組成物（ｉｉ）からなる少なくとも１つのコーティングをまつ毛に対して適用するというステップを少なくとも１回にわたって行う、
という場合において、
−両組成物を、組成物（ｉ）および（ｉｉ）のうちの少なくとも一方が、連続的な油性相を含有するものとし、
組成物（ｉｉ）を適用するというステップを、まつ毛フリンジに対しての適用手段を使用して行い、
この適用手段を、少なくとも１つの列という態様でもって支持部（５）上に配置された複数の適用部材（６；６０）を備えたものとし、
これら適用部材の長さを、これら適用部材（６；６０）がまつ毛フリンジの４分の１を超えないようにして同時接触するものとする。
【００１３】
第３見地においては、本発明の主題は、例えば付けまつ毛といったようなメイクアップサポート部材であって、上記方法に基づいて得られるメイクアップを備えている。
【００１４】
本発明によるメイクアップキットは、生理的に許容可能な媒体を備えている、特に、化粧品として許容可能な媒体を備えている。すなわち、特にまつ毛に関しておよび目の領域に関して適合性を有した媒体を備えている。
【００１５】
ユーザーは、少なくとも２つの適用操作によって、材料のコントラスト付き成膜物によるメイクアップ効果を得ることができる。
【００１６】
組成物（ｉ）および組成物（ｉｉ）に関する適用順序は、変更することができる。しかしながら、組成物（ｉｉ）の前に組成物（ｉ）を適用することが好ましい。
【００１７】
適用順序に応じて、化粧用組成物の一方を『ベースコート』と称することができ、化粧用組成物の他方を、『トップコート』と称することができる。
【００１８】
本発明においては、『化粧品として許容可能』という用語は、まつ毛に対する適用に対して用途が適合している組成物を意味している。
【００１９】
本発明の目的に関し、『フリンジ（fringe）』という用語は、まぶたの内側コーナーから外側コーナーにかけての、上まぶたのまつ毛または下まぶたのまつ毛を意味しており、あるいは、ユーザーの一方または他方の目の眉弓の眉毛を意味している。
【００２０】
特に断らない限り、『１つのものを備えている』という用語は、『少なくとも１つのものを備えている』という表現と同義であるものとして理解されたい。また、特に断らない限り、『〜の間』という用語は、限界値をも含有するものとして理解されたい。
【００２１】
特に明記しない限り、組成物のすべての含有量は、固体として表される。
【００２２】
以下においては、例示として、『適用手段』および『アプリケータ』という用語が使用される。
【００２３】
組成物（ｉ）および（ｉｉ）内に従来的に含有される組成物について、以下説明する。
【００２４】
実用的には、２つのタイプのマスカラ組成物が存在する。すなわち、一方においては、『エマルジョンマスカラ』として知られているように、水中におけるワックスのエマルジョンの態様とされたような、水性連続相とされたマスカラが存在する。他方においては、『耐水性マスカラ』として知られているように、非水性溶媒中におけるワックスの分散液の態様とされたような、非水性のあるいは水含有量の小さなあるいは水溶性溶媒であるような溶媒あるいは油性連続相とされたマスカラが存在する。
【００２５】
『油性連続相を有した組成物』という用語は、組成物が、例えば、Mettler Toledo社のMPC227導電率計およびInlab730導電率測定セルを用いて導電率を測定した際に、２５℃において２３μＳ／ｃｍ未満という導電率を有していることを意味している。測定セルを組成物内へと浸漬し、これにより、セルの２つの電極間に形成されかねないエアバブルを除去する。導電率の値が安定化した後に、導電率の読取を行う。少なくとも３回にわたって連続的に測定を行い、平均値を決定する。
【００２６】
『水性連続相を有した組成物』という用語は、組成物が、例えば、Mettler Toledo社のMPC227導電率計およびInlab730導電率測定セルを用いて導電率を測定した際に、２５℃において２３μＳ／ｃｍ以上という導電率を有していることを意味している。測定セルを組成物内へと浸漬し、これにより、セルの２つの電極間に形成されかねないエアバブルを除去する。導電率の値が安定化した後に、導電率の読取を行う。少なくとも３回にわたって連続的に測定を行い、平均値を決定する。
【００２７】
２つの組成物（ｉ）および（ｉｉ）のうちの一方の組成物は、油性連続相を含有し、他方の組成物は、可能であれば、水性連続相または油性連続相を含有している。
【００２８】
１つの好ましい実施形態においては、２つの組成物（ｉ）および（ｉｉ）は、油性連続相を含有している。
【００２９】
１つの実施形態においては、本発明は、より詳細には、耐水性マスカラに関するものである。
【００３０】
『固体含有量の特徴付け』
本発明の目的においては、『固体含有量』とは、不揮発性物質の含有量を意味している。
【００３１】
本発明による組成物の固体量は、すなわちＤＥと略称され『乾燥抽出物 (dry extract)』と称されるものは、計算すること（理論的ＤＥ）も、また、試料を波長２μｍ〜３．５μｍの赤外線で加熱することにより測定することも、できる。組成物に含まれる物質で、高い蒸気圧を有するものは、この照射の影響下において蒸発する。試料の重量減少を測定することで、この組成物の『乾燥抽出物』を決定することができる。これらの測定は、  Mettler社による市販のLP16（登録商標）赤外線デシケーターを用いて行われる。この技法は、Mettler社から提供されている機器説明書で完全に説明されている。
【００３２】
測定プロトコルは下記の通りである：
【００３３】
約１ｇの組成物を、金属製るつぼに広げる。このるつぼをデシケーター内に入れた後、設定温度１２０℃の条件下に１時間おく。この試料の湿潤質量（初期質量に相当する）、および乾燥質量（照射後の質量に相当する）を、精密天秤を用いて測定する。固体含有量は下記の手法で計算される：
乾燥抽出物 ＝ １００×（乾燥質量／湿潤質量)。
【００３４】
上述のプロトコルを使用して測定された値は、対応する理論値と比較して、プラスマイナス１％だけ相違することができる。
【００３５】
本発明による組成物（ｉ）は、組成物の総重量に対し、４２重量％以下という乾燥抽出物を有することができ、好ましくは、４１重量％以下という乾燥抽出物を有することができ、より好ましくは、４０重量％以下という乾燥抽出物を有することができる。
【００３６】
本発明による組成物（ｉｉ）は、組成物の総重量に対し、４２重量％より大きな乾燥抽出物を有することができ、好ましくは、４３重量％より大きな乾燥抽出物を有することができる。
【００３７】
『油性相』
本発明による組成物（ｉ）および／または（ｉｉ）の油性相は、１つまたは複数のオイルまたは有機溶媒を含有することができる。
【００３８】
『オイルまたは有機溶媒』という用語は、室温かつ大気圧下において液体であるような非水性物質を意味している。オイルは、揮発性のものとも、また、不揮発性のものとも、することができる。
【００３９】
本発明の目的においては、『揮発性のオイルまたは有機溶媒』という用語は、室温かつ大気圧下において、ケラチン材料との接触から１時間経たない内に蒸発可能な任意の非水性媒体を意味している。本発明における揮発性有機溶媒および揮発性オイルは、室温で液体であり、室温かつ大気圧下においてゼロでない蒸気圧を有し、蒸気圧がとりわけ０．１３Ｐａから４００００Ｐａ（１０−３から３００ｍｍＨｇ）の範囲、特に１．３Ｐａから１３０００Ｐａ（０．０１から１００ｍｍＨｇ）の範囲、さらに好ましくは１．３Ｐａから１３００Ｐａ（０．０１から１０ｍｍＨｇ）の範囲であるような、揮発性有機溶媒および化粧用オイルである。『不揮発性のオイル』という用語は、室温かつ大気圧下において、皮膚またはケラチン材料上で少なくとも数時間は留まっているオイルであって、特に、１０−３ｍｍＨｇ（０．１３Ｐａ）よりも小さな蒸気圧を有したオイルである。
【００４０】
組成物（ｉ）および／または（ｉｉ）は、揮発性オイル、および／または、不揮発性オイル、および／または、これらの混合物、を含有することができる。
【００４１】
揮発性オイル（あるいは、揮発性の有機溶媒）は、炭化水素系オイル、シリコーンオイル、もしくはフッ素系オイル、または、これらの混合物、とすることができる。
【００４２】
『炭化水素系オイル』という用語は、主として水素および炭素原子を含み、酸素、窒素、硫黄、またはリン原子を場合によっては含むオイルを意味する。揮発性の炭化水素系オイルは、８から１６個の炭素原子を有する炭化水素系オイル、特に分岐鎖状Ｃ８ 〜Ｃ１６アルカン例えば石油起源のＣ８ 〜Ｃ１６イソアルカン（イソパラフィンとも称される），例えばイソドデカン（２，２，４，４，６−ペンタメチルヘプタンとも称される），イソデカンおよびイソヘキサデカン, 例えば商標名IsoparあるいはPermetylで販売されているオイル、分岐鎖状Ｃ８ 〜Ｃ１６エステル、および、イソヘキシルネオペンタノエート、ならびにこれらの混合物から選択され得る。その他の揮発性炭化水素系オイル、例えば石油留出物、特に、名称Shell Solt（登録商標）としてShell社から販売のものもまた、用いることができる。
【００４３】
使用し得る揮発性オイルには、揮発性シリコーン、例えば、揮発性の直鎖状または環状シリコーンオイル、特に、≦６センチストークス（６×１０−６ｍ２／ｓ） の粘度を有し、特に３から６個のケイ素原子を有するもの、が包含される。これらのシリコーンは、場合により、１または２個の炭素原子を有する１つまたは複数のアルキル基またはアルコキシ基を含む。本発明において使用し得る揮発性シリコーンオイルとして、特に挙げられるもに、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、および、ドデカメチルペンタシロキサン、ならびにこれらの混合物がある。
【００４４】
ノナフルオロメトキシブタンやパーフルオロメチルシクロペンタンなどの、揮発性のフッ素系溶媒もまた使用することができる。
【００４５】
揮発性オイルの含有量は、各組成物（ｉ）および／または（ｉｉ）の総重量に対して、５重量％〜９０重量％とすることができ、特に、１０重量％〜８０重量％とすることができ、とりわけ、２０重量％〜７５重量％とすることができる。
【００４６】
本発明による組成物（ｉ）および（ｉｉ）の各々は、室温、水に不溶性でありかつ室温で液体であるような少なくとも１つの不揮発性有機溶媒を含有することができ、とりわけ、特に不揮発性の炭化水素系オイルおよび／またはシリコーンオイルおよび／またはフッ素系オイルから選択し得るような少なくとも１つの不揮発性オイルまたは不揮発性有機溶媒を含有することができる。
【００４７】
不揮発性炭化水素系オイルとして特に挙げられるものには、以下のものがある：
−植物起源の炭化水素系オイル、例えば、グリセロールの脂肪酸エステルからなるトリグリセリドであって、前記脂肪酸はＣ４ 〜Ｃ２４の様々な鎖長を有し、これらの鎖は、あるいは直鎖状でも分岐鎖状であっても、飽和でも不飽和でもよい；これらのオイルは、特には、小麦麦芽油，ヒマワリ油，ブドウ果実油（grapeseed oil），ゴマ油，トウモロコシ油，アプリコット油，  カスター（castor）油，シアー（shea oil）油，アボカド油，オリーブ油，大豆油，甘扁桃油，ヤシ油，菜種油，綿実油，へーゼルナッツ油，マカダミア油，ホホバ油，アルファルファ油，ケシ油，カボチャ油，マロー（marrow）油，クロスグリ油，マツヨイグサ油，キビ（millet）油，大麦油，キノア（quinoa）油，ライ麦油，ベニバナ油，ククイノキ（candlenut）油，トケイソウ（passion flower）油、および、マスクローズ（musk rose）油である；また、あるいは、カプリル／カプリン酸トリグリセリド、例えば Stearineries Dubois 社より販売されているものや、Miglyol 810（登録商標）, Miglyol 812（登録商標）、および、Miglyol 818（登録商標）の名称でDynamit Nobel社より販売されているもの、
−１０から４０個の炭素原子を有する合成エーテル；
−鉱物または合成起源の直鎖状または分岐鎖状炭化水素、例えば、ワセリン（petroleum jelly），ポリデセン，パーリーム(parleam)などの水素化ポリイソブテン, およびスクアラン，ならびにこれらの混合物；
−合成エステル、例えば式Ｒ１ＣＯＯＲ２で示されるオイル、式中Ｒ１ は、１から４０個の炭素原子を有する直鎖状または分岐鎖状脂肪酸残基を表し、Ｒ２ は、１から４０個の炭素原子を有する、特に分岐鎖状の炭化水素鎖を表し、Ｒ１＋Ｒ２≧１０を条件とし、例えば、パーセリン（purcellin）油（セトステアリルオクタノエート），イソプロピルミリステート，イソプロピルパルミテート，Ｃ１２〜Ｃ１５アルキルベンゾエート，ヘキシルラウレート，ジイソプロピルアジペート，イソノニルイソノナノエート，２−エチルヘキシルパルミテート，イソステアリルイソステアレート，アルキルもしくはポリアルキルオクタノエート，デカノエートまたはリシノーレート（たとえばプロピレングリコールジオクタノエート）；ヒドロキシル化エステル例えばイソステアリルラクテートおよびジイソステアリルマレエート；およびペンタエリスリトールエステル；
−室温で液体であり、１２から２６個の炭素原子を含む分岐鎖状および／または不飽和炭素系鎖を有する脂肪族アルコール、例えばオクチルドデカノール，イソステアリルアルコール，オレイルアルコール，２−ヘキシルデカノール，２−ブチルオクタノールあるいは２−ウンデシルペンタデカノール；
−高鎖脂肪酸たとえばオレイン酸，リノール酸あるいはリノレン酸；
ならびに、これらの混合物
が包含される。
【００４８】
本発明による組成物（ｉ）または（ｉｉ）の一方または他方において使用し得る不揮発性のシリコーンオイルとしては、不揮発性ポリジメチルシロキサン(PDMSs)、アルキルまたはアルコキシ基を含むポリジメチルシロキサンであってアルキル基がシリコーン鎖から垂れ下がったおよび／または末端に付いた状態であり、各基が２から２４個の炭素原子を有しているもの、フェニルシリコーン、例えばフェニルトリメチコーン，フェニルジメチコーン，フェニルトリメチルシロキシジフェニルシロキサン，ジフェニルジメチコーン，ジフェニルメチルジフェニルトリシロキサン、および、２−フェニルエチルトリメチルシロキシシリケートがある。
【００４９】
本発明による組成物（ｉ）または（ｉｉ）の一方または他方において使用し得るフッ素系オイルは、特には、フッ素化シリコーンオイル、フッ素化ポリエーテルまたはフッ素化シリコーンであり、特許文献１に記載されているようなものである。
【００５０】
本発明による組成物（ｉ）または（ｉｉ）の一方または他方における不揮発性のオイルまたは有機溶媒の含有量は、組成物の総重量に対して、０．０１重量％〜３０重量％とすることができ、特に、０．１重量％〜２５重量％とすることができ、とりわけ、０．１重量％〜２０重量％とすることができる。
【００５１】
『ワックス』
組成物（ｉ）または（ｉｉ）の少なくとも一方は、好ましくは組成物（ｉ）および（ｉｉ）の双方は、有利には、少なくとも１つのワックスを含有している。
【００５２】
本発明の目的においては、『ワックス』という用語は、室温（２５℃）において固体の脂溶性化合物であり、液体／固体状態の可逆的な変化を示し、３０℃以上の、また１２０℃までであってもよい融点を有する。
【００５３】
ワックスの融点は、示差走査熱量計（ＤＳＣ）、例えばMettler 社からDSC 30（登録商標）の名称で販売されている熱量計を用いて測定することができる。
【００５４】
ワックスは、炭化水素ベースのワックス、および／または、フッ素系ワックス、および／または、シリコーン系ワックス、とすることができ、動物および／または植物および／または鉱物および／または合成由来のワックスとすることができる。特に、ワックスは、２５°Ｃを超えるような、好ましくは４５°Ｃを超えるような、融点を有している。
【００５５】
蜜蝋（あるいは、ビーズワックス）、ラノリンワックスおよびイボタ蝋などの炭化水素ベースのワックス；コメワックス、カルナウバ蝋、カンデリラ蝋、オーリキュリーワックス、エスパルト蝋、コルク繊維ワックス、サトウキビワックス、木蝋およびウルシワックス；モンタン蝋、マイクロクリスタリンワックス、パラフィンおよびオゾケライト；ポリエチレンワックス、フィッシャー‐トロプシュ合成により得られるワックス、および、ワックス状コポリマーとそのエステルが、特に用いられ得る。
【００５６】
直鎖状または分岐鎖状Ｃ８ 〜Ｃ３２脂肪鎖を含有する動物性または植物性油の触媒水素化によって得られるワックスもまた、挙げることができる。
【００５７】
これらのワックスの中でも、特に、水素化ホホバ油、Desert Whale社から商標名Iso-Jojoba-50（登録商標）で製造されるまたは販売されているトランス異性化部分水素化ホホバ油など異性化ホホバ油、水素化ヒマワリ油、水素化ヒマシ油、水素化ココナッツ油および水素化ラノリン油、名称“Hest 2T-4S”（登録商標）でHetereneから販売されているビス（１，１，１−トリメチロールプロパン）テトラステアレートおよび名称“Hest 2T-4B”（登録商標）でHeterene社から販売されているビス（１，１，１−トリメチロールプロパン）テトラベヘネートを挙げることができる。
【００５８】
シリコーン系ワックスもまた挙げられる。例えば、１６から４５個の炭素原子を含んでいるアルキルまたはアルコキシジメチコンを挙げることができる。フッ素系ワックスもまた挙げられる。
【００５９】
ステアリルアルコールでエステル化されたオリーブ油の水素化によって得られるワックス（名称“Phytowax Olive 18 L 57”（登録商標）で販売されている）や、セチルアルコールでエステル化されたヒマシ油の水素化によって得られる各種ワックス（名称Phytowax Ricin “16L64”（登録商標）および“22L73”（登録商標）としてSophim社から販売されている）もまた利用できる。このようなワックスは、特許文献２に記載されている。
【００６０】
１つの特定の実施形態においては、本発明による組成物（ｉ）または（ｉｉ）は、少なくとも１つの『粘性の(tacky)』ワックス、すなわち０．７Ｎ．ｓ以上の粘性および３．５ＭＰａ以下の硬度を有するワックス、を含有することができる。
【００６１】
粘性ワックスを用いることにより、特に、まつ毛に適用容易で、まつ毛に良好に付着し、つやのある、均一な、かつ濃く見えるメイクアップ効果の形成をもたらす化粧品組成物を得ることを可能とすることができる。
【００６２】
使用し得る粘性ワックスは、特に、０．７Ｎ．ｓから３０Ｎ．ｓの範囲とりわけ１Ｎ．ｓ以上、さらに１Ｎ．ｓから２０  Ｎ．ｓの範囲とりわけ２Ｎ．ｓ以上、特に２Ｎ．ｓから１０Ｎ．ｓの範囲、そしてとりわけ２Ｎ．ｓから５Ｎ．ｓの範囲の粘性を有することができる。
【００６３】
ワックスの粘性は、２０℃で、Rheo社からTA-TX2i（登録商標）の名称で販売のテクスチャー分析器（４５°の角度をなす、アクリルポリマー製円錐形スピンドルを装備する）を用いて、時間の関数としての力（圧縮力または伸長力）の変化を測定することにより決定される。
【００６４】
測定プロトコルは下記の通りである：すなわち、ワックスを、そのワックスの融点＋１０℃という温度で融解させる。融解ワックスを、直径２５ｍｍ、深さ２０ｍｍの容器内へ注ぐ。このワックスを、室温（２５℃）２４時間で、ワックスの表面が平坦かつ滑らかになるように再結晶させ、次いで、２０℃で少なくとも１時間貯蔵し、その後、粘性測定に供する。
【００６５】
テクスチャー分析器の上記スピンドルを、速度０．５ｍｍ／ｓで退け、その後ワックスに、進入深さ２ｍｍまで進入させる。このスピンドルがワックスに深さ２ｍｍで進入したら、スピンドルを１秒間（緩和時間にあたる）そのまま保持し、その後、速度０．５ｍｍ／ｓで引き抜く。
【００６６】
上記の緩和時間中、力（圧縮力）は大幅に減少してゼロにまでなり、その後、スピンドルを引き抜く間には、力はマイナスとなり（伸長力）、それから再び値０まで上昇する。粘性は、時間の関数としての力の曲線において、曲線のうち力の負の値（伸長力）に対応する部分についての積分に相当する。粘性の値はＮ．ｓで表される。
【００６７】
使用可能な粘性ワックスは、一般に、３．５  ＭＰａ以下、とりわけ０．０１ＭＰａから３．５  ＭＰａの範囲、特に０．０５ＭＰａから３ＭＰａの範囲、さらに特には０．１ＭＰａから２．５ＭＰａの範囲の硬度を有している。
【００６８】
硬度は、上述のプロトコルに従って測定される。
【００６９】
使用可能な粘性ワックスには、Ｃ２０−Ｃ４０アルキル（ヒドロキシステアリルオキシ）ステアレート（ここでアルキル基は２０から４０個の炭素原子を含む）の単体または混合物形態とされる、とりわけ、以下の式（ＩＩ）のようなＣ２０−Ｃ４０アルキル１２−（１２’−ヒドロキシステアリルオキシ）ステアレートとされる。
【００７０】
【化１】
2007289696.tif 000003
【００７１】
式中、ｍは、１８から３８の範囲の整数である。あるいは、式（ＩＩ）の化合物の混合物が包含される。
【００７２】
このようなワックスは、特に、名称“Kester Wax K 82 P（登録商標）”および“Kester Wax K 80 P（登録商標）”としてKoster Keenan社から販売されている。
【００７３】
上記で言及した各種ワックスは、一般的に、４５℃未満の初期融点を有している。
【００７４】
およそ０．４６ＭＰａというの硬度およびおよそ１Ｎ．ｓという粘性値とを有しているような、Strahl & Pitsch 社によってＳＰ１８（登録商標）という商標名で販売されている微結晶ワックスを使用することもできる。
【００７５】
上記ワックス（類）は、ワックスの水性マイクロ分散物の形態で存在していてもよい。『ワックスの水性マイクロ分散物』という表現は、ワックス粒子の水性分散物であって、前記ワックス粒子のサイズが約１μｍ以下のものを意味する。
【００７６】
ワックスマイクロ分散物は、コロイド状ワックス粒子の安定な分散物であって、特に、“Microemulsions Theory and Practice”, L.M. Prince Ed., Academic Press (1977) 21-32ページにおいて記述されている。
【００７７】
特には、これらのワックスマイクロ分散物は、ワックスを、界面活性剤の存在下で、場合によりさらに少量の水の存在下で融解させ、続いて、攪拌しつつ熱水を少しずつ加えることによって得ることができる。中間状態である、湯中水型のエマルションの形成が観察され、その後、相転移が認められ、最終的な、水中湯型のマイクロエマルションの生成が起こる。冷却すると、固体ワックスコロイド粒子の、安定なマイクロエマルションが得られる。
【００７８】
上記ワックスマイクロ分散物はまた、ワックス、界面活性剤および水の混合物を、超音波、高圧ホモジナイザーや、ターボミキサーなどの攪拌手段を用いて攪拌することによっても得ることができる。
【００７９】
上記ワックスマイクロ分散物の粒子は、１μｍ未満  （特に０．０２μｍから０．９９μｍの範囲）、そして好ましくは０．５μｍ未満（特に０．０６μｍから０．５μｍの範囲）の平均サイズを有することが好ましい。
【００８０】
これらの粒子は、本質的に、ワックスまたはワックスの混合物からなる。しかしながら、これらは、油状および／もしくはペースト状の脂肪性添加物、界面活性剤、および／または一般的な脂溶性添加物/活性剤を少量含んでいても構わない。
【００８１】
ワックスの含有量は、各々の組成物の総重量に対して、０．１重量％〜５０重量％とすることができ、好ましくは、１重量％〜４０重量％とすることができ、さらに好ましくは、５重量％〜３０重量％とさえすることができる。
【００８２】
１つの特定の実施形態においては、組成物（ｉ）のワックス含有量は、組成物（ｉ）の総重量に対して、１９重量％以下とされ、好ましくは、１７重量％以下とされ、好ましくは、１０重量％以上とされる。
【００８３】
１つの特定の実施形態においては、組成物（ｉｉ）のワックス含有量は、組成物（ｉｉ）の総重量に対して、２０重量％以上とされ、好ましくは、２５重量％以上とされ、より好ましくは、２７重量％以上とされ、最大で５０重量％以上とすることができる。
【００８４】
したがって、本発明の他の主題は、まつ毛のメイクアップのためのおよび／またはまつ毛のケアのためのキットであって、まつ毛のメイクアップのためのおよび／またはまつ毛のケアのための少なくとも２つの組成物（ｉ）および（ｉｉ）を具備している場合に、
−組成物（ｉ）および（ｉｉ）のうちの少なくとも一方が、連続的な油性相を含有し、
−組成物（ｉ）が、組成物（ｉ）の総重量に対して１９重量％以下というワックス含有量を有し、
−組成物（ｉｉ）が、組成物（ｉｉ）の総重量に対して２０重量％よりも大きなワックス含有量を有し、
キットが、まつ毛フリンジに対しての適用手段を具備し、
この適用手段が、少なくとも１つの列という態様でもって支持部（５）上に配置された複数の適用部材（６；６０）を備え、
これら適用部材の長さが、これら適用部材（６；６０）がまつ毛フリンジのまつ毛の４分の１を超えないようにして同時接触するものとされているキットである。
【００８５】
『皮膜形成性ポリマー』
本発明による組成物（ｉ）または（ｉｉ）の各々は、有利には、少なくとも１つの皮膜形成性ポリマーを含有することができる。
【００８６】
本発明による組成物は、少なくとも１つの親油性皮膜形成性ポリマーを含有することができる。そして、それは、脂溶性（すなわち、上述したようなオイルまたは有機溶媒を含有した液体脂肪相に対して可溶とすることができる、あるいは、非水性溶媒相内に分散された粒子の態様とされて、組成物内に存在することができる。この場合、本発明による組成物の油性相とすることができて好適なものである。
【００８７】
本発明の目的においては、『液体脂肪相』という用語は、室温（２５℃）および大気圧（７６０ｍｍＨｇ、すなわち １０５Ｐａ）下において液体であるとともに、室温において液体であるような１つまたは複数の脂肪物質を含有しているような、例えば、一般に相互に適合性を有した上述したようなオイルを含有しているような、脂肪相を意味している。このような液体脂肪層は、一般に組成物の油性溶媒相すなわち非水性溶媒相に対応する。
【００８８】
本発明においては、『皮膜形成性ポリマー』という用語は、それ自体または皮膜形成補助剤（an auxiliary film-forming agent）の存在下で、支持物に、特にケラチン物質に接着するような連続皮膜を形成可能なポリマーを意味する。
【００８９】
脂溶性ポリマーの具体例として挙げられるものには、ビニルエステル（ここでビニル基は、エステル基の酸素原子に直接結合しており、このビニルエステルは、飽和の直鎖状または分岐鎖状炭化水素に基づいた、炭素数１から１９のラジカルを、エステル基のカルボニルに結合した状態で含んでいる）と、他の少なくとも一つのモノマーとのコポリマーがあり、他のモノマーとしては、ビニルエステル（既にあるビニルエステルとは異なるもの）、α−オレフィン（８から２８個の炭素原子を含む）、アルキルビニルエーテル（ここでアルキル基は２から１８個の炭素原子を含む）や、アリルまたはメタリルエステル（飽和の直鎖状または分岐鎖状炭化水素に基づいた、炭素数１から１９のラジカルを、エステル基のカルボニルに結合した状態で含んでいる）が挙げられる。
【００９０】
これらのコポリマーは架橋剤を用いて架橋されていてもよく、架橋剤は、ビニル型またはアリルもしくはメタリル型のいずれであってもよく、例えばテトラアリルオキシエタン、ジビニルベンゼン、オクタン二酸ジビニル（divinyl octanedioate）、ドデカン二酸ジビニル（divinyl dodecanedioate）およびオクタデカン二酸ジビニル（divinyl octadecanedioate）がある。
【００９１】
これらのコポリマーの具体例として挙げられるものには、下記のコポリマー：ビニルアセテート／アリルステアレート，ビニルアセテート／ビニルラウレート，ビニルアセテート／ビニルステアレート，ビニルアセテート／オクタデセン，ビニルアセテート／オクタデシルビニルエーテル，ビニルプロピオネート／アリルラウレート，ビニルプロピオネート／ビニルラウレート，ビニルステアレート／１−オクタデセン，ビニルアセテート／１−ドデセン，ビニルステアレート／エチルビニルエーテル，ビニルプロピオネート／セチルビニルエーテル，  ビニルステアレート／アリルアセテート，ビニル２，２−ジメチルオクタノエート／ビニルラウレート，アリル２，２−ジメチルペンタノエート／ビニルラウレート，ビニルジメチルプロピオネート／ビニルステアレート，アリルジメチルプロピオネート／ビニルステアレート，ビニルプロピオネート／ビニルステアレート（０．２％ジビニルベンゼンにて架橋されたもの），ビニルジメチルプロピオネート／ビニルラウレート（０．２％ジビニルベンゼンにて架橋されたもの），ビニルアセテート／オクタデシルビニルエーテル（０．２％テトラアリルオキシエタンにて架橋されたもの），ビニルアセテート／アリルステアレート（０．２％ジビニルベンゼンにて架橋されたもの），ビニルアセテート／１−オクタデセン（０．２％ジビニルベンゼンにて架橋されたもの），およびアリルプロピオネート／アリルステアレート（０．２％ジビニルベンゼンにて架橋されたもの）がある。
【００９２】
脂溶性の皮膜形成性ポリマーの具体例としてさらに挙げられるものには、脂溶性コポリマー、とりわけ、９から２２個の炭素原子を含むビニルエステルまたは（メタ）アクリル酸アルキルエステルと、１０から２０個の炭素原子を含むアルキルラジカルとの共重合により得られるものがある。
【００９３】
そのような脂溶性コポリマーは、ポリビニルステアレート、ジビニルベンゼン，ジアリルエーテルまたはジアリルフタレートコポリマーを用いて架橋されたポリビニルステアレート、ポリステアリル（メタ）アクリレート、ポリビニルラウレートおよびポリラウリル（メタ）アクリレートコポリマーから選択することができ、ここで、これらのポリ（メタ）アクリレート類がエチレングリコールジメタクリレートまたはテトラエチレングリコールジメタクリレートを用いて架橋されていることもあり得る。
【００９４】
上記で規定された脂溶性コポリマーは知られており、また特に特許文献３において記述されている。これらは、２０００から５０００００の、好ましくは４０００から２０００００の範囲の重量平均分子量を有することができる。
【００９５】
本発明において使用可能な脂溶性の皮膜形成性ポリマーとしては、さらに、ポリアルキレン類、特に、ポリブテンなどのＣ２ 〜Ｃ２０アルケンのコポリマー、直鎖状または分岐鎖状の飽和または不飽和Ｃ１〜Ｃ８アルキル基を有するアルキルセルロース類、例えばエチルセルロースおよびプロピルセルロース、ビニルピロリドン類特に、ビニルピロリドンとＣ２ 〜Ｃ４０、さらに好ましくはＣ３ 〜Ｃ２０アルケンとのコポリマー、を挙げることができる。本発明において使用可能なＶＰコポリマーの具体例として挙げられるものには、ＶＰ／ビニルアセテート，ＶＰ／エチルメタクリレート，ブチル基導入ポリビニルピロリドン（ＰＶＰ），ＶＰ／エチルメタクリレート／メタクリル酸，ＶＰ／エイコセン，ＶＰ／ヘキサデセン，ＶＰ／トリアコンテン，ＶＰ／スチレンや、ＶＰ／アクリル酸／ラウリルメタクリレートの各コポリマーがある。
【００９６】
また、シリコーン樹脂にも言及することができる。シリコーン樹脂は、一般に、シリコーンオイルに対して可溶であるかあるいは湿潤可能であり、これは架橋されたポリオルガノシロキサンポリマーである。シリコーン樹脂の命名は、“ＭＤＴＱ”という名称で知られており、この樹脂は、含有している様々なシロキサンモノマーユニットの機能によって特徴づけられ、“ＭＤＴＱ”の各文字が表しているユニットタイプによって特徴づけられる。
【００９７】
言及し得る市販のポリメチルシルセスキオキサン樹脂の例は、以下の商標名で市販されている。
−Wacker社により、Resin MK（登録商標）。例えば、Belsil PMS MK（登録商標）。
−Shin-Etsu社により、KR-220L（登録商標）。
【００９８】
言及し得るシロキシシリケート樹脂には、トリメチルシロキシシリケート（ＴＭＳ）樹脂があり、例えば、General Electric 社により SR 1000（登録商標）という商標名によって、あるいは、Wacker社により TMS 803（登録商標）という商標名によって、市販されている。また、例えばシクロメチコンといったような溶媒内において販売されているような、また、Shin-Etsu社により KF-7312J（登録商標）という商標名で、また、Dow Corning 社により DC 739（登録商標）および DC 593（登録商標）という商標名で市販されているような、トリメチルシロキシシリケート樹脂に言及することができる。
【００９９】
また、例えば上述したようなシリコーン樹脂と、ポリジメチルシロキサンと、のコポリマーに言及することができる。例えば、特許文献４に開示されているようなDow Corning 社により Bio-PSA（登録商標）という商標名で市販されているような感圧性接着性コポリマーに言及することができる。あるいは、特許文献５に開示されているような、例えば上述したようなシリコーン樹脂とジオルガノシロキサンとの反応に由来するシリコーンコポリマーに言及することができる。
【０１００】
また、特許文献６〜９に開示されているような、ポリオルガノシロキサンタイプのシリコーンポリアミドを使用することもできる。
【０１０１】
これらのシリコーンポリマーは、以下の２つのファミリーに分類することができる。すなわち、水素との相互作用を確立し得る少なくとも２つの官能基をポリマーチェイン内に有したポリオルガノシロキサン、および／または、水素との相互作用を確立し得る少なくとも２つの官能基をグラフトまたはブランチ上に有したポリオルガノシロキサン。
【０１０２】
本発明の一実施形態においては、皮膜形成性ポリマーは、皮膜形成性線形ブロックエチレンポリマーであって、好ましくは、互いに異なるガラス転移温度（Ｔｇ）を有した少なくとも１つの第１ブロックおよび少なくとも１つの第２ブロックを備えている。第１ブロックおよび第２ブロックは、中間ブロックを介して結合されている。中間ブロックは、第１ブロックの少なくとも１つの構成モノマーと、第２ブロックの少なくとも１つの構成モノマーと、を備えている。
【０１０３】
有利には、ブロックポリマーの第１ブロックおよび第２ブロックは、相互に不適合性のものである。
【０１０４】
そのようなポリマーは、例えば、特許文献１０，１１に開示されている。
【０１０５】
親油性または脂溶性の皮膜形成性ポリマーは、また、組成物内において、本発明の組成物の溶媒相をなし得る非水性溶媒相内に分散した粒子の形態で存在することができる。これらの分散物を調製する技法は、当業者によく知られている。
【０１０６】
皮膜形成性ポリマーの非水性分散物の例として、例えば、特許文献１２に開示されたような分散物に言及することができる。とりわけ、例えばChimex社による“Mexomer PAP”（登録商標）といったような、脂肪相（例えばイソドデカン）内の分散物として、安定剤によって表面安定化されたような、アクリルポリマー粒子や、液体脂肪相内において、グラフト化されたエチレンポリマー粒子からなる分散物や、好ましくはアクリルポリマーからなる分散物、に言及することができる。その際、エチレンポリマーは、有利には、特に特許文献１３に記載されているように、粒子の表面に付加的な安定化剤を有することなく、分散される。
【０１０７】
１つの特定の実施形態においては、組成物（ｉ）および／または（ｉｉ）は、好ましくは組成物（ｉｉ）は、少なくとも１つのターポリマーを含有している。このターポリマーは、ケラチン材料に対する適用時に、ケラチン材料に対する良好な接着性をもたらすという利点を有している。特に、まつ毛の端部に対しての材料の適用時に、良好な接着性をもたらすという利点を有している。これにより、引き伸ばし効果を得ることができるとともに、まつ毛に対する適用に際して、スムーズかつ一様な材料成膜を可能とする。１つの特定の実施形態においては、キットは、このターポリマーを含有している組成物（ｉ）と、そのようなターポリマーを含有していない組成物（ｉｉ）と、を備えている。
【０１０８】
そのようなタイプのポリマー、および、そのようなタイプのポリマーを含有したマスカラは、特に、特許文献１４に開示されている。
【０１０９】
特許文献１４の開示内容は、参考のため、その全体がここに組み込まれる。
【０１１０】
しかしながら、特定の三量体につき、以下において詳細に説明する。
【０１１１】
ターポリマーは、
−（メタ）アクリル酸と、２〜２０個の炭素原子を含有したモノアルコールと、の反応に由来するエステルの中から選択された少なくとも１つのモノマーＡと、
−メタクリル酸と、１〜１０個の炭素原子を含有したモノアルコールと、の反応に由来するエステルの中から選択された少なくとも１つのモノマーＢと、
−Ｎ−ビニルラクタムの中から選択された少なくとも１つのモノマーＣと、
の共重合により得られたポリマーである。
【０１１２】
このアクリルポリマーは、有利には、皮膜形成性ポリマーである。
【０１１３】
『モノマーＡ』
モノマーＡは、（メタ）アクリル酸と、２〜２０個の炭素原子を含有したモノアルコールと、の反応に由来する様々なエステルの中から選択されたものである。
【０１１４】
１つの実施形態においては、コポリマーは、メタクリル酸と５〜２０の炭素原子、好ましくは７〜１８の炭素原子、さらに好ましくは１０〜１８の炭素原子を含むモノアルコールとの反応によって生じる少なくとも１つのモノマーＡを含む。
【０１１５】
特に、モノアルコールは、以下のものから選ばれてもよい：３−ヘプタノール、１−オクタノール、２−オクタノール、イソオクチルアルコール、２−エチル−１−ヘキサノール、１−デカノール、１−ドデカノール、１−トリデカノール、１−テトラデカノール、および１−オクタデカノール、並びにこれらの混合物。
【０１１６】
本発明に係るポリマーは、また、アクリル酸と２〜１５の炭素原子、好ましくは４〜１４の炭素原子を含むモノアルコールとの反応によって生じる少なくとも１つのモノマーＡを含んでもよい。
【０１１７】
特に、Ｃ２ 〜Ｃ１５モノアルコールは、以下のものから選ばれてもよい：エタノール、１−ブタノール、２−ブタノール、１−ペンタノール、２−ペンタノール、３−ペンタノール、２−メチル−１−ブタノール、１−ヘキサノール、２−ヘキサノール、２−メチル−１−ペンタノール、３−メチル−ｌ−ペンタノール、２−エチル−ｌ−ブタノール、３、５、５−トリメチル−１−ヘキサノール、３−ヘプタノール、１−オクタノール、２−オクタノール、イソオクチルアルコール、２−エチル−１−ヘキサノール、１−デカノール、１−ドデカノール、１−トリデカノール、および１−テトラデカノール、並びにこれらの混合物。
【０１１８】
有利には、モノマーＡは、ｎ−ブチルアクリレート、イソオクチルアクリレートおよびラウリルメタクリレート（メタクリル酸と１−ドデカノールの反応に由来するもの）、並びにこれらの混合物より選ばれる。
【０１１９】
有利には、モノマーＡは、ポリマー中において、モノマーの全数に対して、１５％〜８０％、より好ましくは４０％〜６０％の数量比で存在する。
【０１２０】
『モノマーＢ』
モノマーＢは、メタクリル酸と１〜１０の炭素原子、好ましくは１〜６の炭素原子、さらに好ましくは１〜４の炭素原子含むモノアルコールとの反応によって生じるエステル類より選ばれる。
【０１２１】
特に、モノアルコールは、メタノール、エタノール、１−プロパノール、２−プロパノール、１−ブタノール、２−ブタノール、１−ペンタノール、２−ペンタノール、および３−ペンタノール、並びにそれらの混合物から選ばれてもよい。
【０１２２】
好ましくは、  モノマーＢは、メチルメタクリレート、およびｎ−ブチルメタクリレート、並びにこれらの混合物より選ばれる。
【０１２３】
有利には、モノマーＢは、ポリマー中において、モノマーの全数に対して、２０％〜７０％より好ましくは２５％〜５０％の数量比で存在する。
【０１２４】
『モノマーＣ』
モノマーＣは、特許文献１５に記載されているものなどのＮ−ビニルラクタム類（Ｎ−置換ラクタム誘導体）、および、特に、以下の化学式を有するＮ−ビニルラクタム類より選ばれる。
【０１２５】
【化２】
2007289696.tif 000004
【０１２６】
式中、Ｒ１およびＲ２は、それぞれ、独立して、水素原子；メチル、エチル、若しくはプロピル等のＣ１〜Ｃ５アルキル基；またはアリール基を表している。
【０１２７】
また、Ｙは、以下のものから選択される。
【０１２８】
【化３】
2007289696.tif 000005
【０１２９】
ｎおよびｎ１は、それぞれが同時に０でないという条件のもとに、０〜５の範囲にある。好ましくは、Ｒ１およびＲ２は、それぞれ、独立して、水素原子；メチル、エチル、またはプロピル等のＣ１−Ｃ５アルキル基を表し；Ｙは、以下のものから選択される。
【０１３０】
【化４】
2007289696.tif 000006
【０１３１】
モノマーＣとして使用することが可能な、Ｎ−ビニルラクタム類としては、Ｎ−ビニルピロリドン、並びに以下のラクタム類：３，３−ジメチル−１−ピロリドン、４，４−ジメチル−２−ピロリドン、３，４−ジメチル−２−ピロリドン、３−エチル−２−ピロリドン、および、３，５−ジメチル−２−ピロリドン−、のＮ−ビニル置換誘導体が挙げられる。モノマーＣは、好ましくは  Ｎ−ビニルピロリドンである。
【０１３２】
有利には、モノマーＣは、ポリマー中において、モノマーの全数に対して、１％〜１５％、より好ましくは５％〜１５％の数量比で存在する。
【０１３３】
有利には、ポリマーは、溶液中にあるか、または有機溶媒の分散液中にあり、その有機溶媒は、好ましくは、本発明による組成物（ｉ）の有機溶媒相の大部分を形成する。
【０１３４】
このコポリマーは、従来のフリーラジカル重合法、特に、モノマー類が可溶な溶媒中における重合法により調製されてもよい。
【０１３５】
このようなコポリマーおよびそれらを含む抗菌組成物は、特に、特許文献１６に記載されている。
【０１３６】
親油性ポリマーは、組成物（ｉ）または（ｉｉ）の総重量に対して、固体（または、活性物質）として、０．０１重量％〜３０重量％、好ましくは  ０．０５重量％〜２０重量％、さらに好ましくは０．０５重量％〜１５重量％を占めてもよい。
【０１３７】
『追加的な皮膜形成性ポリマー』
組成物は、例えば、親水性皮膜形成性ポリマーから選ばれた追加的な皮膜形成性ポリマーを含有することができる：
−プロテイン類、例えば小麦または大豆プロテイン等の植物由来のプロテイン類；ケラチン類等の動物由来のプロテイン類、例えば、ケラチン加水分解物類およびスルホニックケラチン類；
−アニオン性、カチオン性、両性、若しくはノニオン性キチンまたはキトサンポリマー類；
−ヒドロキシエチルセルロース、ヒドロキシプロピルセルロース、メチルセルロース、エチルヒドロキシエチルセルロース、およびカルボキシメチルセルロース等のセルロースポリマー類、また四級化したセルロール誘導体類；
−ビニルポリマー類、例えば、ポリビニルピロリドン類、メチルビニルエーテルおよび無水マレイン酸のコポリマー類、ビニル酢酸およびクロトン酸のコポリマー類、ビニルピロリドンおよびビニル酢酸のコポリマー類；ビニルピロリドンおよびカプロラクタムのコポリマー類；ポリビニルアルコール；
−任意選択的で変性された天然由来のポリマー、例えば：
−アラビアガム、グアガム（guar gum）、キサンタン誘導体またはカラヤガム；
−アルギン酸塩類、カラギーナン類；
−グリコアミノグリカン類、または、ヒアルロン酸およびその誘導体類；
−シェラック樹脂、サンダラックガム、ダンマル樹脂、エレミガム類、コパール樹脂類；
−デオキシリボ核酸；
−ヒアルロン酸、コンドロイチン硫酸等のムコポリサッカライド類、
およびこれらの混合物。
【０１３８】
追加的な皮膜形成性ポリマーは、水性分散物の態様とすることもできる。例えば、アクリル系分散物があり、これは、名称“Neocryl XK-90（登録商標）”，“Neocryl A-1070（登録商標）”，“Neocryl A-1090（登録商標）”,“Neocryl BT-62（登録商標）”,“Neocryl A-1079（登録商標）”および“Neocryl A-523（登録商標）”としてAvecia-Neoresins社から、“Dow Latex 432（登録商標）”としてDow Chemical社から,“Daitosol 5000 AD（登録商標）”または“Daitosol 5000 SJ”としてDaito Kasey Kogyo社から販売のもの; Interpolymer社から“Syntran 5760”として販売のもの、がある。あるいは、ポリウレタンの水系分散物があり、これは、名称“Neorez R-981（登録商標）”および“Neorez R-974（登録商標）”としてAvecia-Neoresins社から,“Avalure UR-405（登録商標）”,“Avalure UR-410（登録商標）”,“Avalure UR-425（登録商標）”,“Avalure UR-450（登録商標）”,“Sancure 875（登録商標）”,“Sancure 861（登録商標）”,“Sancure 878（登録商標）”および“Sancure 2060（登録商標）”としてGoodrich社から,“Impranil 85（登録商標）”としてBayer社から、ならびに“Aquamere H-1511（登録商標）”としてHydromer社から販売のもの; ブランド名“Eastman AQ（登録商標）”でEastman Chemical Products社から販売のスルホポリエステル類、ビニル系分散物たとえば “Mexomer PAM”、そしてさらに、イソドデカン中のアクリル系分散物たとえば“Mexomer PAP”（Chimex社）がある。
【０１３９】
追加的な皮膜形成性ポリマーの固体含有量は、組成物の総重量に対して、０．０５重量％から２０重量％、好ましくは、０．１重量％から１５重量％、より好ましくは、０．５重量％から１０重量％、とすることができる。
【０１４０】
１つの特定の実施形態においては、本発明による組成物（ｉ）または（ｉｉ）は、追加的な皮膜形成性ポリマーとして、カチオン性ポリマーおよびアニオン性ポリマーの組み合わせを含む。
【０１４１】
カチオン性ポリマーは、第四級化したセルロースエーテル誘導体、セルロースと水溶性第四級アンモニアモノマーとのコポリマー、環状ポリマー類、カチオン性ポリサッカライド類、カチオン性シリコーンポリマー類、ビニルピロリドン／ジアルキルアミノアルキルアクリレートまたはメタクリレートコポリマーであって、四級化または四級化されてないもの、ビニル−ピロリドンおよびビニルイミダゾ−ルの第四級コポリマーおよび、ポリアミノアミド類、並びにこれらの混合物より選ばれる。
【０１４２】
好ましくは、カチオン性ポリマーは、第四級化されたアンモニウム基を含むヒドロキシ（Ｃ１〜Ｃ４）アルキルセルロースである。
【０１４３】
有利には、アニオン性ポリマーは、以下のものより選択される。
【０１４４】
Ａ）アクリル酸またはメタクリル酸のホモポリマーまたはコポリマー並びにそれらの塩、アクリル酸およびアクリルアミドのコポリマー類並びにそれらの塩、ポリヒドロキシカルボン酸のナトリウム塩。
【０１４５】
Ｂ）アクリルまたはメタクリル酸とエチレン、スチレン、ビニルエステル類、アクリルまたはメタクリル酸エステル類等のモノエチレン性モノマーとのコポリマーであって、任意にポリエチレングリコール等のポリアルキレングリコールとグラフト化されたもの；このタイプのコポリマー類であって、鎖中に、任意にＮ−アルキル化および／またはヒドロキシアルキル化されたアクリルアミド単位を含むもの、アクリル酸とＣ１〜Ｃ４アルキルメタクリレートとのコポリマー、ビニルピロリドン、アクリル酸およびＣ１ 〜Ｃ２０アルキルメタクリレートのターポリマー。
【０１４６】
Ｃ）クロトン酸に由来するコポリマー類であって、例えば、鎖中にビニルアセテートまたはプロピオネート単位を含むもの、任意に、アリルまたはメタクリルエステル類等の他のモノマー、炭化水素系鎖を有する直鎖状または分岐を有する飽和カルボン酸、例えば、５つの炭素原子を含むもの等のビニルエーテルまたはビニルエステル等の他のモノマー含むものであり、これらポリマー類は、場合によってはグラフト結合されているもの。
【０１４７】
Ｄ）マレイン酸、フマル酸若しくはイタコン酸または無水物と、ビニルエステル類、ビニルエーテル類、ビニルハライド類、フェニルビニル誘導体、若しくはアクリル酸並びにこれらのエステル類とに由来するポリマー類；マレイン酸、シトラコン酸、イタコン酸の無水物と、アリル若しくはメタアリルエステルのコポリマーであって、任意にアクリルアミド基若しくはメタクリルアミド、α−オレフィン、アクリル若しくはメタクリルエステル類、アクリル若しくはメタクリル酸、またはビニルピロリドンを鎖中に含んでおり、無水官能基が、モノエステル化またはモノアミド化されているもの。
【０１４８】
Ｅ）カルボキシレート基を含むポリアクリルアミド。
【０１４９】
Ｆ）デオキシリボ核酸。
【０１５０】
Ｇ）少なくとも１つのジカルボン酸、少なくとも１つのジオールおよび少なくとも１つの−ＳＯ３Ｍ基を含む２官能性の芳香族モノマー、ここで、Ｍは水素原子、アンモニウムイオン（ＮＨ４＋）、または、金属イオンを表す、を含むコポリマー類。
【０１５１】
並びにこれらの混合物。
【０１５２】
さらにとりわけ好ましいアニオン性ポリマー類は、以下の非架橋性アニオン性ポリマー類より選択される: ISP社により商標名Gantrez ES 425で販売されているメチルビニルエーテル／モノエステル化マレイン酸無水物コポリマー、
BASF社により商標名Ultrahold Strongで販売されているアクリル酸／エチルアクリレート／N-tert-ブチルアクリルアミドターポリマー、
Rohm Pharma社により商標名Eudragit Lで販売されているメタクリル酸およびメチルメタクリレートのコポリマー、
National Starch社により商標名Resin 28-29-30で販売されているビニルアセテート／ビニルtert-ブチルベンゾエート／クロトン酸ターポリマー類、および、クロトン酸／ビニルアセテート／ビニルネオデカノエートターポリマー類、
BASF社により商標名Luvimer MAEXまたはMAEで販売されているメタクリル酸およびエチルアクリレートのコポリマー、
ISP社により商標名Acrylidone LMで販売されているビニルピロリドン／アクリル酸／ラウリルメタクリレート ターポリマー類、および
アクリル若しくはメタクリル酸ホモポリマー類、例えば、Vanderbilt社により商標名Versicol E 5で販売されているもの、または商標名Darvan 7で販売されているポリ（メタクリレートナトリウム）、並びにこれらの混合物。
【０１５３】
アニオン性ポリマーは、好ましくは、ポリメタクリレートナトリウムである。
【０１５４】
本発明による組成物（ｉ）または（ｉｉ）の各々は、皮膜形成性ポリマーとのフィルムの形成を促進する可塑剤を含んでもよい。そのような可塑剤は、望ましい機能を達成することができるものとして当業者に既知のいかなる化合物より選ばれてもよい。
【０１５５】
『親油性ゲル化剤』
組成物（ｉ）または（ｉｉ）の各々は、少なくとも１つの親油性ゲル化剤を含有している。本発明による組成物（ｉ）または（ｉｉ）において使用し得るゲル化剤は、有機的な、あるいは、無機的な、あるいは、ポリマー的な、あるいは、分子親油性の、ゲル化剤とすることができる。
【０１５６】
言及し得る無機的な親油性ゲル化剤は、付加的に変性されたクレーがある。例えば、Ｃ１０〜Ｃ２２脂肪酸アンモニウムクロライドによって変性されたヘクトライトがあり、また、ジステアリルジメチルアンモニウムクロライドによって変性されたヘクトライトがあり、例えば、Elementis 社によって“Bentone 38V”（登録商標） という商標名で市販されている製品がある。
【０１５７】
また、所望により疎水性表面処理に付されたフュームドシリカであって、その粒子サイズが１μｍ未満のものも挙げられる。具体的には、シリカ表面に存在するシラノール基の数を減じる化学反応により、シリカの表面を化学的に修飾することが可能である。シラノール基を疎水性基に置換することが特に可能である：そうすると疎水性シリカが得られる。疎水性基は：
−トリメチルシロキシル基、該基は特に、ヘキサメチルジシラザンの存在下においてフュームドシリカを処理することにより得られる。このように処理されたシリカはＣＴＦＡ（第６版、１９９５年）によると「シリル化シリカ」（silica silylate）として知られる。それらは例えばDegussa社によりAerosil R812（登録商標）の製品番号で、およびCabot社によりCAB-O-Sil TS-530（登録商標）の製品番号で販売されている；
−ジメチルシリルオキシルまたはポリジメチルシロキサン基、それらは特にポリジメチルシロキサンまたはジメチルジクロロシランの存在下でフュームドシリカを処理することにより得られる。このように処理されたシリカはＣＴＦＡ（第６版、１９９５年）によると「ジメチルシリル化シリカ」として公知である。それらは例えばAerosil R972（登録商標）およびAerosil R974（登録商標）の表示でDegussa社により、およびCAB-O-Sil TS-610（登録商標）およびCAB-O-Sil TS-720（登録商標）の表示でCabot社により販売されている；
であり得る。
【０１５８】
疎水性フュームドシリカは、好ましくは、ナノメートル〜ミクロメートル、例えば５〜２００ｎｍの範囲の粒子サイズを有する。
【０１５９】
ポリマー状の有機親油性ゲル化剤は、例えば、部分的または全体的に架橋された３次元構造のエラストマー状オルガノポリシロキサン、例えばKSG6（登録商標）、KSG16（登録商標）、および、KSG18（登録商標）の名称で信越化学工業社より販売されているもの、ダウコーニング社製のTrefil E-505C（登録商標）またはTrefil E-506C、Grant Industries社製のGransil SR-CYC（登録商標）、SR DMF10（登録商標）、SR-DC556（登録商標）、SR 5CYCgel（登録商標）、SR DMF 10 gel（登録商標）、およびSR DC 556 gel（登録商標）、およびGeneral Electric社製のSF 1204（登録商標）およびJK 113（登録商標）；エチルセルロース、例えばEthocel（登録商標）の名称でDow Chemical社により販売されているもの；（α）少なくとも３２の炭素原子を含む二カルボン酸から選択された少なくとも１つの酸、例えばダイマー酸、および（β）アルキレンジアミン、特にエチレンジアミンの縮合から得られるポリアミドタイプの重縮合体（該縮合体においてポリアミドポリマーは、飽和かつ直鎖である１２〜３０の炭素原子を含む少なくとも１つの飽和および直鎖のモノアルコールまたは飽和および直鎖の１のモノアミンでエステル化またはアミド化された少なくとも１つのカルボン酸末端基を含む）、特にエチレンジアミン／ステアリルジリノレートコポリマー、例えばArizona Chemical社によりUniclear 100 VG（登録商標）の名前で販売されている製品；１糖類当たり１〜６、特に２〜４のヒドロキシル基を含み、飽和または不飽和のアルキル鎖で置換されたガラクトマンナン、例えばＣ１〜Ｃ６、および特にＣ１〜Ｃ３のアルキル鎖でアルキル化されたグアーガム、およびこれらの混合物である。ポリスチレン／ポリイソプレンまたはポリスチレン／ポリブタジエンタイプの「ジブロック」、「トリブロック」、または「放射状」タイプのブロックコポリマー、例えばBASF社によりLuvitol HSB（登録商標）の名前で販売されている製品、ポリスチレン／コポリ（エチレン−プロピレン）タイプの「ジブロック」、「トリブロック」、または「放射状」タイプのブロックコポリマー、例えばShell Chemical Co社によりKraton（登録商標）の名前で販売されている製品、またはポリスチレン／コポリ（エチレン−ブチレン）タイプの「ジブロック」、「トリブロック」、または「放射状」タイプのブロックコポリマー、イソドデカン中のトリブロックおよび放射状（星型）コポリマーの混合物、例えばPenreco社によりVersagel（登録商標）の名前で販売されている製品、例えばイソドデカン中のブチレン／エチレン／スチレントリブロックコポリマーおよびエチレン／プロピレン／スチレン星型コポリマーの混合物（Versagel M 5960（登録商標））。
【０１６０】
本発明による組成物（ｉ）または（ｉｉ）において使用し得るゲル化剤として、また、デキストリンの脂肪酸エステル、例えばパルミチン酸デキストリン、特に「Rheopearl TL（登録商標）」または「Rheopearl KL（登録商標）」の名称でチバフラワー社から販売されているものも挙げられる。
【０１６１】
親油性ゲル化剤の含有量は、組成物（ｉ）および（ｉｉ）の各々の総重量に対して、０．０５重量％から３０重量％、好ましくは０．１重量％から２０重量％、より好ましくは０．５重量％から１５重量％、とすることができる。
【０１６２】
『他の添加物』
『水および／または水溶性溶媒』
本発明による組成物（ｉ）または（ｉｉ）の各々は、水性相を含有することができ、水性相は、水および／または少なくとも１つの水溶性溶媒を含有することができる。
【０１６３】
本発明においては、『水溶性溶媒』という用語は、室温において液状であり、水と混和性がある（２５℃、および大気圧において５０重量％超の水中の混和性）である化合物を意味する。
【０１６４】
本発明による組成物（ｉ）または（ｉｉ）において使用し得る水溶性溶媒の中で、１〜５の炭素原子を有する低級モノアルコール、例えばエタノールまたはイソプロパノール、２〜８の炭素原子を有するグリコール、例えばエチレングリコール、プロピレングリコール、１，３−ブチレングリコール、およびジプロピレングリコール、Ｃ３〜Ｃ４のケトン、およびＣ２〜Ｃ４のアルデヒドを挙げることができる。
【０１６５】
水性相（水および／または水溶性溶媒）は、本発明による組成物（ｉ）または（ｉｉ）内へと、変性されていない形で導入され得るか、または、組成物を構成する１以上の成分によりその中に取り込まれ得る。すなわち、水は、特に、ラテックスまたは擬ラテックス、すなわちポリマー粒子の水性分散物、を導入することにより組成物（ｉ）または（ｉｉ）内へと導入され得る。
【０１６６】
本発明による組成物（ｉ）および／または（ｉｉ）内における水および／または水溶性溶媒の含有量は、組成物の総重量に対して、好ましくは２０重量％未満とされ、０．１重量％から２０重量％とすることができ、好ましくは、１重量％から１０重量％とすることができる。
【０１６７】
特に、組成物（ｉ）に関しては、水および／または水溶性溶媒の含有量は、この組成物の総重量に対して、８重量％以下とされ、組成物（ｉｉ）に関しては、水および／または水溶性溶媒の含有量は、この組成物の総重量に対して、４重量％以下とされ、好ましくは０．５重量％以下とさえされ得る。
【０１６８】
『染料』
本発明による組成物（ｉ）または（ｉｉ）の各々は、さらに、少なくとも１つの染料、例えば粉末染料、脂溶性染料、および水溶性染料を含有することができる。
【０１６９】
１つの実施形態においては、組成物（ｉ）および（ｉｉ）は、同じ陰影（shade）を有している。
【０１７０】
他の実施形態においては、組成物（ｉ）および（ｉｉ）は、得られるメイクアップ効果を強調し得るよう、互いに異なる陰影を有している。
【０１７１】
例えば、まつ毛フリンジ全体に対してあるいはまつ毛フリンジの内側部分に対して、軽い色の組成物（ｉ）を適用し得るとともに、まつ毛フリンジの外側部分に対して、濃い色の組成物（ｉｉ）を適用することができる。
【０１７２】
粉末の染料は、顔料および真珠光沢剤から選択され得る。
【０１７３】
顔料は、白色であっても、または着色されていてもよく、無機物であってもおよび／または有機物であってもよく、被覆されていても、または被覆されていなくてもよい。挙げられ得る無機物顔料の中には、二酸化チタン（付加的に表面処理されていてもよい）、酸化ジルコニウム、酸化亜鉛または酸化セリウム、および、酸化鉄または酸化クロム、マンガン紫、群青色、クロム水和物、および第二鉄青がある。挙げられ得る有機顔料の中には、カーボンブラック、Ｄ＆Ｃタイプの顔料、コチニールカーミンまたはバリウム、ストロンチウム、カルシウムまたはアルミニウムベースのレーキがある。
【０１７４】
真珠光沢剤は、白色真珠光沢顔料、例えばオキシ塩化チタンまたはビスマスで被覆されたマイカ、着色された真珠光沢顔料、例えば酸化鉄で被覆されたチタンマイカ、特に第二鉄青または酸化クロムで被覆されたチタンマイカ、上述の有機顔料で被覆されたチタンマイカ、およびオキシ塩化ビスマスに基づく真珠光沢顔料から選ばれることができる。
【０１７５】
脂溶性の染料は、例えばスーダンレッド、Ｄ＆Ｃレッド１７、Ｄ＆Ｃグリーン６、β−カロチン、大豆油、スーダンブラウン、Ｄ＆Ｃイエロー１１、Ｄ＆Ｃバイオレット２、Ｄ＆Ｃオレンジ５、キノリンイエロー、およびアナートである。
【０１７６】
これらの染料は、組成物の総重量に対して、０．０１〜３０重量％の量で存在することができる。
【０１７７】
『フィラー』
本発明による組成物（ｉ）または（ｉｉ）の各々は、さらに、少なくとも１つのフィラーを含有することができる。
【０１７８】
フィラーは、当業者に周知であり、化粧料組成物において一般的に使用されるものから選択されることができる。フィラーは、無機性または有機性、ラメラ状または球状であることができる。タルク、マイカ、シリカ、カオリン、ポリアミド粉末、例えばOrgasol(商標)の名前でAtochem社により販売されているナイロン（登録商標）、ポリ−β−アラニン粉末およびポリエチレン粉末、テトラフルオロエチレンポリマーの粉末、例えばTeflon（登録商標）、ラウロイルリジン、澱粉、窒化ホウ素、膨張されたポリマー状の中空微小球、例えば塩化ポリビニリデン／アクリロニトリルの微小球、例えばNobel Industries社によりExpancel（登録商標）の名前で販売されている製品、アクリル粉末、例えばDow Corning社によりPolytrap（登録商標）の名前で販売されているもの、ポリメチルメタクリレート粒子およびシリコーン樹脂ミクロビーズ（例えば東芝製のTospearls（登録商標））、沈降された炭酸カルシウム、炭酸マグネシウム、および炭酸水素マグネシウム、ハイドロキシアパタイト、中空シリカ微小球（Maprecos製シリカビーズ（登録商標））、ガラスまたはセラミックのマイクロカプセル、８〜２２の炭素原子、特に１２〜１８の炭素原子を含む有機カルボン酸から誘導される金属石鹸、例えばステアリン酸亜鉛、ステアリン酸マグネシウム、またはステアリン酸リチウム、ラウリン酸亜鉛およびミリスチン酸マグネシウムであり得る。
【０１７９】
加熱すると膨潤することができる化合物、特に熱膨張可能な粒子、例えば塩化ビニリデン／アクリロニトリル／メチルメタクリレートのコポリマーまたはアクリロニトリルホモポリマーコポリマーの膨張していない微小球、例えばAkzo Nobel社によりExpancel（登録商標）820 DU 40およびExpancel（登録商標）007WUの製品番号でそれぞれ販売されているものを使用することもまた可能である。
【０１８０】
フィラーは、組成物の総重量の０．１〜２５重量％、特に１〜２０重量％に相当し得る。
【０１８１】
『ファイバー』
本発明による組成物（ｉ）または（ｉｉ）の各々は、さらに、引き伸ばし効果を向上させ得るようなファイバーを含有することができる。
【０１８２】
『ファイバー』という用語は、長さＬおよび直径Ｄの物体であって、ＬがＤよりずっと大きい物体を意味し、Ｄはファイバーの断面が内接されるところの円の直径である。特にＬ／Ｄ比（即ち形状係数）が３．５〜２５００、特に５〜５００、より特に５〜１５０の範囲で選択される。
【０１８３】
本発明の組成物において使用し得るファイバーは、合成若しくは天然起源の、無機性または有機性であってもよい。それらは短くてもまたは長くてもよく、個別であっても、組織化、例えば編みこまれていてもよく、かつ中空または中実であってもよい。ファイバーは、いずれの形状とすることもでき、意図される特定の用途に依存して、特に円形または多角形（四角、六角、または八角）の断面を有し得る。特にその末端は怪我を避けるために先端が丸くても、および／または磨かれていてもよい。
【０１８４】
特に、ファイバーは、１μｍ〜１０ｍｍ、好ましくは０．１ｍｍ〜５ｍｍ、さらによりよく０．３ｍｍ〜３．５ｍｍの範囲の長さを有する。その断面は、２ｎｍ〜５００μｍ、特に１００ ｎｍ〜１００ μｍ、より特に１μｍ〜５０μｍの範囲の直径の円の中に入り得る。ファイバーの重さ即ちヤーン数は、しばしばデニールまたはデシテックスで与えられ、９ｋｍのヤーン当たりのグラムで表された重量を表す。特に、該ファイバーは、０．１５〜３０デニール、さらによりよくは０．１８〜１８デニールの範囲から選択されたヤーン数を有する。
【０１８５】
本発明による組成物において使用し得るファイバーは、堅いファイバーまたは堅くないファイバーから選択することができ、そして合成または天然、鉱物起源、または有機起源であってもよい。
【０１８６】
さらに、ファイバーは、表面が処理されていてもいなくてもよく、被覆されていても、いなくてもよく、着色されていても、または着色されていなくてもよい。
【０１８７】
本発明による組成物において使用し得るファイバーとして、堅くないファイバー、例えばポリアミド（Nylon（登録商標））ファイバーまたは堅いファイバー、例えばポリイミドアミドファイバー、例えばRhodia社によりKermel（登録商標）およびKermel Tech（登録商標）の名前で販売されているもの、またはDupont de Nemours社によりKevlar（登録商標）の名前で販売されているポリ（ｐ−フェニレンテレフタルアミド）（即ちアラミド）ファイバーが挙げられ得る。
【０１８８】
ファイバーは、組成物の全重量に対して、０．０１から１０重量％、特に０．０５から５重量％、より特に０．１から３重量％の範囲の含量で、組成物中に存在し得る。
【０１８９】
『化粧用の活性成分』
本発明による組成物（ｉ）または（ｉｉ）の各々は、さらに、抗酸化剤、保存料、芳香剤、中和剤、柔軟剤、モイスチャライザー、ビタミン、特にサンスクリーンといったようなスクリーン剤、の中から選択される化粧用の活性成分を含有することができる。
【０１９０】
言うまでもなく、当業者であれば、本発明による組成物の有利な特性が、想定している添加によって不利な影響を受けないか実質的に受けないように、任意添加の添加物および／またはその分量の選択に注意を払うであろう。
【０１９１】
本発明の１つの格別の実施形態においては、
−組成物（ｉ）は、油性連続相を備え、この油性連続相が、Ｃ８ 〜Ｃ１６炭化水素系オイルから選択された少なくとも１つの揮発性オイルと、少なくとも１つのワックスと、少なくとも１つの親油性皮膜形成性ポリマーと、を含有し、親油性皮膜形成性ポリマーが、ポリビニルラウレート、アリルステアレート／ビニルアセテートコポリマー、ビニルピロリドン／１−エイコセンコポリマー、および、少なくとも１つのモノマーＡと少なくとも１つのモノマーＢと少なくとも１つのモノマーＣとの重合によるターポリマー、および、これらの混合物、の中から選択され、
・少なくとも１つのモノマーＡが、（メタ）アクリル酸と、２〜２０個の炭素原子を含有したモノアルコールと、の反応に由来するエステル類の中から選択され、
・少なくとも１つのモノマーＢが、メタクリル酸と、１〜１０個の炭素原子を含有したモノアルコールと、の反応に由来するエステル類の中から選択され、
・少なくとも１つのモノマーＣが、Ｎ−ビニルラクタム類の中から選択され、
−組成物（ｉｉ）は、油性連続相を備え、この油性連続相が、Ｃ８ 〜Ｃ１６炭化水素系オイルから選択された少なくとも１つの揮発性オイルと、水性ミクロ分散液の形態とされた少なくとも１つのワックスと、少なくとも１つの親油性皮膜形成性ポリマーと、を含有し、親油性皮膜形成性ポリマーが、ポリビニルラウレート、アリルステアレート／ビニルアセテートコポリマー、ビニルピロリドン／１−エイコセンコポリマー、および、これらの混合物、の中から選択される。
【０１９２】
２つの組成物（ｉ）および（ｉｉ）は、また、染料の存在に基づく陰影以外にも、肉眼での見た目的に互いに相違するものとすることができる。相違点は、特に、光沢とすることができる。
【０１９３】
『キット』
本発明によるキットは、有利には、本発明による化粧用組成物（ｉ）および（ｉｉ）を適用するための１つまたは複数の手段を備えることができる。
【０１９４】
組成物（ｉｉ）は、後述する適用手段を使用して適用される。
【０１９５】
組成物（ｉ）は、まつ毛および眉毛のメイクアップに際して通常的に使用されている任意のブラシまたは任意の櫛を使用して、適用することができる。
【０１９６】
この場合、特許文献１７〜２０に開示されたようなメイクアップブラシを使用して組成物（ｉ）を適用することが特に有利である。
【０１９７】
本発明によるメイクアップキットは、１つの特定の実施形態においては、少なくとも２つの個別のパッケージを備え、１つのパッケージが、上述の組成物（ｉ）を収容し、他のパッケージが、上述の組成物（ｉｉ）を収容し、上述したように、適用の順序に基づいて、一方の組成物が『トップコート』を構成し、他方の組成物が『ベースコート』を構成する。
【０１９８】
本発明によるキットは、ワイパー部材を備えることができる。ワイパー部材は、例えば、気泡材料ブロックを備えることができ、このブロックは、開放気泡フォームまたは閉塞気泡フォームとすることができ、フロック（あるいは、産毛）を有したものとも有していないものともすることができる。一変形例においては、ワイパー部材は、付加的にフロック付きのものとされた非気泡性材料から形成することができる。例えば、エラストマーまたはポリオレフィンから形成することができる。この場合、特に、ワイパー部材は、例えば、少なくとも１つのスリットを備えることができる、および／または、ステムを拭き取るためのリップを備えることができる。
【０１９９】
まつ毛または眉毛に対してのメイクアップの適用が、ユーザーによる複数の操作によって実行されることにより、すなわち、少なくとも２つのステップによって実行されることにより、つまり、まつ毛の全部または一部に対して『ベースコート』組成物を適用する第１操作およびまつ毛の全部または一部に対して『トップコート』組成物を適用する第２操作という少なくとも２つのステップによって実行されることにより、１つの同一のパッケージとして構成されたメイクアップキットが、特に好適である。この選択肢は、本発明の好ましい実施形態を構成する。
【０２００】
キットが１つのおよび同一のパッケージという態様とされている場合には、そのパッケージは、組成物（ｉ）を収容する少なくとも１つの隔室またはリザーバを形成するとともに、組成物（ｉｉ）を収容する少なくとも１つの隔室またはリザーバを形成するような、容器を提供することができる。前者の隔室は、閉塞部材によって閉塞され、後者の隔室も、また、閉塞部材によって閉塞される。
【０２０１】
また、キットが１つのおよび同一のパッケージという態様とされている場合には、このパッケージは、好ましくは、組成物（ｉ）のための少なくとも１つの適用手段またはアプリケータを備え、適用手段またはアプリケータは、特に、ツイストワイヤによって保持された複数の荒毛からなる構成とされたブラシという態様とされる。
【０２０２】
そのようなツイストブラシは、特に、特許文献２１に開示されている。アプリケータは、また、特に成型によって形成されたような、複数の適用部材を備えた櫛という態様とすることができる。そのような櫛は、例えば、特許文献２２に開示されている。アプリケータは、例えば特許文献２３に開示されているようにして、容器に対して堅固に取り付けることができる。有利には、アプリケータは、ステムに対して堅固に付けられる。そして、ステム自体が、閉塞部材に対して堅固に取り付けられる。
【０２０３】
閉塞部材は、螺着によって、容器に取り付けることができる。これに代えて、閉塞部材と容器との連結は、螺着以外の構成によって行うことができる。特に、バヨネット機構や、クリック止めや、締付、によって行うことができる。『クリック止め』という用語は、特に、閉塞部材の一部の弾性的変形による材料のリムまたはビーズの通過、続いて、リムまたはビーズが通過された後、該部分の弾性的に歪を受けていない位置へ戻ることを含む任意のシステムを意味することが意図される。
【０２０４】
容器は、有利には２つの隔室またはリザーバを備えたものとされ、少なくとも部分的に熱可塑性物質から形成することができる。言及し得る熱可塑性物質の例には、ポリプロピレンまたはポリエチレンがある。
【０２０５】
これに代えて、容器は、非熱可塑性物質、特にガラスまたは金属（または合金）から形成される。
【０２０６】
容器は、容器の少なくとも１つの開口領域に配置されたドレーナーを好ましくは備えている。そのようなドレーナーは、アプリケータ、場合により、アプリケータがしっかりと結合されている可能性のあるステムを掃拭することを可能にする。そのようなドレーナーは、例えば特許文献２４に開示されている。
【０２０７】
上記すべての特許文献の記載内容は、参考のため、それらの全体がここに組み込まれる。
【０２０８】
１つの特に好ましい実施形態においては、メイクアップキットは、『ベースコート』組成物を収容するためのリザーバと、『トップコート』組成物を収容するためのリザーバと、を備え、一方のリザーバに、特に上述したようなマスカラブラシタイプのものといったようなメイクアップブラシが設けられ、他方のリザーバに、組成物（ｉｉ）を適用するための後述の適用手段が設けられる。
【０２０９】
『適用手段』
本発明によるキット内に含まれる適用手段は、少なくとも１つの列という態様でもって支持部上に配置された複数の適用部材を備え、これら適用部材の長さは、これら適用部材がまつ毛フリンジのまつ毛の４分の１を超えないようにして同時接触するものとされている。
【０２１０】
１つの好ましい実施形態においては、本発明によるキット内に含まれる適用手段は、
−ステムと、
−このステムに対して連結されているとともにこのステムの長手方向軸線に沿って延在している支持部と、
−支持部上に設置されているとともに、支持部の長手方向軸線に対して実質的に横方向に延在している複数の適用部材、例えば２つの適用部材、と、
を備えている。
【０２１１】
よって、最も格別に好適な実施形態においては、適用手段は、少なくとも１つの列という態様でもって支持部（５）上に配置された複数の適用部材（６；６０）を備え、これら適用部材の長さが、これら適用部材（６；６０）がまつ毛フリンジのまつ毛の４分の１を超えないようにして同時接触するものとされている。
【０２１２】
適用部材は、支持部の長手方向軸線がフリンジに対して実質的に接線方向に向けられたとき、せいぜい、まつ毛または眉毛フリンジの４分の１、または５分の１でさえ、または６分の１以下と同時に接触するように、支持部の長手方向軸線に沿ってある長さにわたって延在することができる。
【０２１３】
まつ毛または眉毛のメイクアップされた部分は、例えばフリンジの長さの４分の１、または５分の１、または６分の１以下に相当する。
【０２１４】
適用部材は、歯および／または荒毛を含む。
【０２１５】
このアプリケータは、場合によりまつ毛を梳く作用をも実行しながら、適切にまつ毛が被覆されることを可能にする。
【０２１６】
適用部材は、１または複数の部分のまつ毛、または眉毛がメイクアップされることを可能とするのに十分短い長さにわたって支持部上で延在し、このようにして新しいメイクアップ効果が得られることを可能にする。
【０２１７】
このアプリケータにより、好ましくはまつ毛フリンジの外側部分において、まつ毛フリンジの３分の１を超えない部分にわたって、あるいは、４分の１を超えない部分にわたってさえ、材料の成膜を行うことができる。
【０２１８】
例えば、適用部材は、約０．１センチメートル（ｃｍ）から１ｃｍの範囲の長さ、例えば８ミリメートル(ｍｍ)以下、または実に７ｍｍまたは６ｍｍの長さ、例えば約２ｍｍ〜５ｍｍの範囲の長さ、例えば２ｍｍ〜３ｍｍの長さにわたって支持部上に延在することができる。
【０２１９】
本発明によるキット内に含まれるアプリケータは、
−ステムと、
−このステムに対して連結されているとともにこのステムの長手方向軸線に沿って延在している支持部と、
−支持部上に設置されているとともに、支持部の長手方向軸線に対して実質的に横方向に延在する少なくとも１つの列をなして配置され、特に歯からなるような、複数の適用部材と、
を備えることができ、適用部材が、自由端を有し、長手方向軸線からのそれら自由端までの距離が、列をなす適用部材の両端部間にわたって、非単調的な態様で変化するものとされる。
【０２２０】
本発明の目的において、『非単調的な態様で変化する』という用語は、適用部材の自由端を連結する線が、少なくとも１つの極点、例えば最大値を通過する、支持部の長手方向軸線からの距離を示すことを意味すると理解されるべきである。
【０２２１】
適用部材の列における最大値の存在は、適用部材がまつ毛に累進的に侵入することを可能とし、それにより部分をメイクアップすることをより容易する。
【０２２２】
列中の適用部材の数、特に歯の数は、例えば３〜９、好ましくは３〜８、特に３〜７であり得る。
【０２２３】
実施態様において、支持部および適用部材は、特に成形またはマシンニングにより単一部品として製造される。変形例においては、適用部材は、支持部に対して連結することができる。
【０２２４】
支持部およびステムは、特に成形により単一部品として製造することができ、または変形例においては、支持部は、ステムに対して連結することができる。そのような状況下では、支持部は、ステム中のハウジング部に係合し得るように構成されたチップを備えることができる。あるいは、ステムは、支持部中のハウジング部に係合し得るように構成されたチップを備えることができる。
【０２２５】
ステムは、支持部の長手方向軸線とは異なる長手方向軸線に沿って延在することができる。そのような状況下では、ステムの長手方向軸線および支持部の長手方向軸線、特に適用部材を有するそれらの部分は、５°〜４５°、特に１５°〜２５°の範囲の角度、例えば約２０°の角度をそれらの間になし得る。この配置は、まつ毛に物質を適用する間にアプリケータを取り扱うことをより快適なものとすることができる。支持部の長手方向軸線は、例えば曲線、または直線とすることができる。
【０２２６】
変形例においては、ステムは、支持部の長手方向軸線と一致する長手方向軸線に沿って延在することができる。
【０２２７】
アプリケータおよび／または支持部は、少なくとも部分的には、可撓性がある、または剛直である物質、特に少なくとも部分的には、熱可塑性物質、エラストマー、または熱可塑性エラストマー物質から、特に成形により製造することができる。アプリケータが少なくとも部分的に、木、または金属、またはさらに他の物質から、特にマシンニングにより製造されることは、本発明の範囲を超えない。
【０２２８】
支持部が弾性的に変形可能な物質からできているとき、支持部の一方の側は、優先的に拭かれることができる。
【０２２９】
ステムおよび支持部は、場合により異なる物質から製造することができる。
【０２３０】
アプリケータが側面から観察されたとき、適用部材の自由端を連結する線は、少なくとも１つの極点、特に最大値を通過する、支持部の長手方向軸線からの距離を有してもよく、そのようにしてアプリケータがまつ毛の中に累進的に侵入することを可能にする。
【０２３１】
上述した線は、特に少なくとも部分的に、尖っている形、特に三角形、または丸みを帯びた形、特に円形または弾丸形を有することができる。
【０２３２】
上述した線のプロファイルがなんであれ、最大値または最小値があるとき、第一に、該最大値にかかる最も長い適用部材、および最も長い適用部材に最も近いものにかかる最も短い適用部材の自由端を連結する直線と、第二に、支持部の長手方向軸線に対する法線、該法線は最も長い適用部材の自由端を通過する、との間に形成される角度は、例えば、約２５°〜約６０°、特に２５°〜５０°、特に２５°〜４５°の範囲、例えば３０°〜４５°の範囲、例えば約４３°である。
【０２３３】
支持部の長手方向軸線からの上述した線までの距離は、２以上の極点を通過してもよい。
【０２３４】
適用部材は、１列または少なくとも２列に配列することができる。少なくとも２列であるときは、１列目の適用部材、および２列目の適用部材は、異なる方向に延びていてもよく、あるいは変形においては、平行に延在することができる。２つの列は例えば支持部に対して互いに実質的に反対に配置することができる。
【０２３５】
適用部材の高さは、約０．５ｍｍ〜約１０ｍｍ、特に、例えば、約１ｍｍ〜約３ｍｍの範囲であり得る。
【０２３６】
適用部材が少なくとも１列に配置されているとき、その列は、分離面のどちらかの側で少なくとも部分的に交互に延在する一連の適用部材を備えることができる。
【０２３７】
適用部材の底部どうしは、位置合わせすることも、また、位置合わせしないことも、できる。
【０２３８】
適用部材が少なくとも１列に配置されているとき、該列は直線的である軸線に沿って延在することができる。適用部材は、中央コアのいずれかの側で交互とすることができる。
【０２３９】
また適用部材が少なくとも１列に配置されているとき、その列は、少なくとも一部が、分離面のいずれかの側に交互に配置されている一連の適用部材を含んでいてもよく、２つの隣り合う適用部材は、側面から観察されたとき、接触または重なる隣接する部分を有し、それらの間にまつ毛を受け入れるのに適するグルーブを形成する。
【０２４０】
適用部材は、櫛またはブラシを構成することができる。
【０２４１】
アプリケータがブラシを構成するとき、支持部は、径の小さい、特に０．７ｍｍ未満、例えば０．２ｍｍ〜０．６ｍｍ、よりよくは０．３〜０．５ｍｍの範囲の２本の、一緒に撚られた針金を備えることができる。
【０２４２】
またブラシを構成するアプリケータの場合、適用部材は、小さい径、例えば８／１００ｍｍ以下、よりよくは６／１００ｍｍ以下の荒毛とすることができる。
【０２４３】
ブラシが撚られたコアを有するとき、ブラシ中の撚回転数は、例えば３〜６の範囲であり得る。撚られたコアを有するブラシの場合、荒毛は２つのらせん状シートのコアから延在することができる。ブラシの撚回転数は、コアの周りの２つのシートの撚回転の合計に相当する。撚られたコアの部分は、特に支持部およびステムの間の結合部の近辺において荒毛を有しない。
【０２４４】
ブラシの外皮表面(envelope surface)の断面は、円形、四角形、または他の形であり得る。
【０２４５】
ブラシは、バイコニカルな外皮表面を有することができる。外皮表面は、ブラシの遠末端または近末端の横に設置されている櫛のより大きい底部を有する円錐形、または円錐形台とすることができる。
【０２４６】
本発明によるキット内に含まれるアプリケータは、物質をまつ毛に適用するためのブラシであって、該ブラシは撚られたコア、および該コアから延びる荒毛を含み、撚回転数は６以下であるブラシをもまた提供する。
【０２４７】
また、本発明によるキット内に含まれるアプリケータは、物質をまつ毛に適用するためのブラシであって、該ブラシはコアおよび該コアから延びる荒毛を含み、荒毛を有するブラシの部分の長さが８ｍｍ以下、よりよくは７ｍｍ以下、または６ｍｍ以下でさえあるブラシを提供する。
【０２４８】
また、本発明によるキット内に含まれるアプリケータは、本発明による組成物を適用するためのものであって、コア、およびコアから延びる荒毛を含み、該荒毛は、実質的に円錐台形、円錐形、または２つの円錐を合わせた形である外皮表面に包まれ、その中で、ブラシの最大断面積を含む面および該面との交点におけるブラシの外皮表面に対する接線の間に形成される最小の角度が、２０°〜６０°、特に２５°〜５０°、例えば３０°〜３５°の範囲であるブラシを提供する。
【０２４９】
また、本発明によるキット内に含まれるアプリケータは、本発明による組成物をまつ毛に適用するためのものであって、コアおよびコアから延びる荒毛を含み、ブラシの外皮表面が、実質的に円錐形を２つ合わせた形を有し、切頭円錐形間の接続部の頂点における角度が１２０°以下、またはさらに９０°以下であるブラシを提供する。
【０２５０】
また、本発明によるキット内に含まれるアプリケータは、物質をまつ毛に適用するための櫛であって、該櫛は、支持部の長手方向軸線に対して横向きに延びる歯を有する支持部を含み、長手方向軸線に沿う最も端の歯の間の距離は、８ｍｍ以下、よりよくは７ｍｍ以下、また６ｍｍ以下である櫛を提供する。
【０２５１】
また、本発明によるキット内に含まれるアプリケータは、物質をまつ毛に適用するための櫛であって、該櫛は、支持部および該支持部の長手方向軸線に対して横向きに延びる歯を含み、第一の長さを有する最長の歯、および第二の長さを有する最短の歯を有し、櫛における第一の長さ：第二の長さは１．３以上である櫛をもまた提供する。
【０２５２】
また、本発明によるキット内に含まれるアプリケータは、物質をまつ毛に適用するための櫛であって、該櫛は、支持部の長手方向軸線に対して横向きに延びる歯を有する支持部を含み、最短の歯の自由端を最長の歯の自由端に連結する直線と、最長の歯の自由端を通過する支持部の長手方向軸線に対する垂線との間に形成される角度が２０°〜６０°の範囲である櫛をもまた提供する。
【０２５３】
キットがワイパー部材を含むとき、アプリケータの支持部は、ワイパー部材を通過しやすくするように形づくられ、この目的のために、例えば丸みを帯びたノーズを前方に備え、膨らみを後方に備え得る。
【０２５４】
アプリケータのステムは、容器を閉塞するためのキャップに対して連結することができ、キャップは、また、ハンドル部材としても機能することができる。容器の閉塞状態においては、アプリケータは、容器の内部に収容することができる。
【発明を実施するための最良の形態】
【０２５５】
本発明は、添付図面を参照しつつ、キット内に設けられる適用手段に関してのおよびキット自体に関しての、本発明を何ら限定するものではなく単なる例示としての好ましい実施形態に関する以下の詳細な説明を読むことにより、明瞭となるであろう。
【０２５６】
図１に示すデバイス１は、キットが２つの個別のパッケージを備えてなるものとされている場合にはキットの一部に対応するものであって、容器２を備えている。容器２は、化粧製品Ｐを貯蔵しており、この場合には、組成物（ｉ）または（ｉｉ）の一方を貯蔵している。デバイス１は、さらに、アプリケータ３を備えている。アプリケータ３は、長手方向軸線Ｘを有したステム４を備えている。本発明による適用手段と本発明による一方の組成物とを備えたデバイスだけが、図示されている。
【０２５７】
ステム４の一端部には、複数の適用部材６を有した支持部５が取り付けられている。ステム４の他端は、閉塞キャップ７に連結されている。閉塞キャップ７は、容器２を閉塞するための部材であるとともに、ハンドル部材としても機能する。
【０２５８】
閉塞キャップ７は、図示していないものの、内部ネジ山を備えている。この内部ネジ山は、容器２の外部ネジ山付きネック１１に対して螺着されるためのものである。
【０２５９】
この実施形態においては、容器２は、ネック１１の内部に係合されたワイパー部材８を備えている。ワイパー部材８は、ワイパーリップ９を有している。ワイパーリップ９は、ステム４と、適用部材６付きの支持部５と、を拭き取り得るように構成されている。
【０２６０】
必要に応じて、ワイパー部材８は、適用部材６が通過するときに変形し得るようなものとして、構成することができる。
【０２６１】
ワイパー部材８は、射出成形によって形成することができる。例えば、ポリオレフィンから形成することができる。
【０２６２】
容器２は、使用されていないときには、閉塞キャップ７をネック１１上へと螺着することにより、密封的に閉塞される。
【０２６３】
図示の実施形態においては、アプリケータ３は、櫛を備え、適用部材６は、複数の歯から構成されている。支持部５は、長手方向軸線Ｙに沿って延在している。この場合、長手方向軸線Ｙは、特に図３に示すように、ステム４の長手方向軸線Ｘに対して、ゼロではない角度αを形成している。この角度αは、例えば、５°〜４５°の範囲とすることができる。
【０２６４】
考慮している例においては、適用部材６は、例えば６つの適用部材は、１つの列１０として配置されている。
【０２６５】
適用部材６は、様々な構成でもって、支持部５上に配置することができる。
【０２６６】
図示の実施形態においては、列１０は、第１シリーズをなす複数の歯６ａと、第２シリーズをなす複数の歯６ｂと、を備えている。これら歯６ａ，６ｂは、幾何学的分離面Ｓの両サイドに配置されている。分離面Ｓは、この場合、図３をなす紙面に平行であるような、櫛の中央対称面であり、櫛を成形するための結合面をもまた構成することができる。
【０２６７】
図示の実施形態においては、歯６ａおよび６ｂは、支持部５の共通コア１５の両サイドにおいて交互に形成されている。コア１５は、一種の骨格として作用し、歯の底部は。この骨格に結合されている。
【０２６８】
支持部５は、前方部分に、丸みを帯びたノーズ１７を備えている。ノーズ１７は、容器２へ戻しやすくするためのものである。
【０２６９】
支持部５は、後方部分に、膨らみ１８を備えている。膨らみ１８は、容器２からの支持部５の抜き出し時に、ワイパー部材８を通しての支持部５の通過を容易とするためのものである。
【０２７０】
適用部材６の各々は、自由端３０において終端する頂部２０と、支持部５のコア１５に対して連結された底部２２と、を備えている。
【０２７１】
考慮している例においては、適用部材６は、支持部５の軸線Ｙに対して実質的に垂直に延在している。
【０２７２】
適用部材の自由端３０は、長手方向軸線Ｙからの距離が、一列１０をなす複数の適用部材の両端部間にわたって、すなわち図３において左から右に向けて、単調でない様式で変化する。
【０２７３】
図示の実施形態においては、アプリケータが側面図において観察されるとき、自由端３０どうしを連結する線Ｌは、図３に示すように、ステム４の長手方向軸線に対して垂直な方向において、なおかつ、上記の分離面Ｓに対して垂直な方向において、実質的に三角形である形状を有しており、図面においては、２つの直線部分が、実質的に９０°に等しい角度を形成している。
【０２７４】
考慮している実施形態においては、一連をなす複数の適用部材６は、同じ長さの２つの最長の歯６ａおよび６ｂを有している。
【０２７５】
この実施形態においては、アプリケータの先端から始まる最短の部材の自由端を通過し、なおかつ、上記最短の部材により近い最長の部材の自由端を通過する直線Ｄ１ は、線Ｌの第１の直線部分と一致する。
【０２７６】
上記の最長の適用部材の自由端を通過する線Ｄ１ および軸線Ｙに垂直な垂線Ｎ１ の間の角度γ１ は、例えば２５°〜６０°であり、例えば約４３°である。
【０２７７】
支持部５の基端から始まる最短の適用部材、および最短の部材により近い最長の適用部材を通過する線Ｄ２ は、線Ｌの第２の直線部分と一致する。
【０２７８】
線Ｄ２ およびこの最長の適用部材の自由端を通る、軸Ｙに対する垂線Ｎ２ の間に形成される角度γ２ は、角度γ１ の値と同じ範囲にあり、例えば実質的にγ１ と等しい。線Ｌの部分間の頂点における角度は、１２０°以下、あるいは９０°以下でさえあり得る。
【０２７９】
適用部材６は、支持部５上で相対的に短い距離ｄにわたって延在し、距離ｄは、特に約０．１ｃｍ〜約１ｃｍの範囲である。すなわち、図２に示すように、アプリケータ３を用いて、まぶた上のまつ毛のすべてに触れることなく一度にまつ毛フリンジの一部に対してのみメイクアップを行うことができる。例えば、適用部材は、図示のように、多くても、上まぶたのまつ毛の４分の１以下と同時接触することができる。
【０２８０】
支持部５および適用部材６は、この実施形態においては、プラスチック材料を成形することにより、単一の部品として一体的に製造される。支持部５は、図１０および図１１を参照して以下により詳細に記載されるような様式で、ステム４に対して連結される。
【０２８１】
考慮している例においては、図３におけるように櫛が側面から観察されたときには、２つの隣り合う適用部材６の頂部２０は、実質的にコア１５に延びるグルーブ２１をそれらの間に形成している。グルーブ２１は、例えばまつ毛を分離する、まつ毛を梳く、またはまつ毛の表面に堆積された物質を延ばすために、まつ毛をつかむことをより容易にする。
【０２８２】
適用部材の長さおよびインターバルを変更することにより、アプリケータによって取り出される物質の総量を容易に変更し得ることは、理解されるであろう。
【０２８３】
考慮している例においては、分離面に関して同じ側に配置された２つの隣り合う適用部材６ａまたは６ｂの先端間のギャップは、支持部５の軸線Ｙに平行に、アプリケータ３の約半分の高さにおいて測定された適用部材の幅よりかなり大きい。
【０２８４】
アプリケータ３が側面から観察されたとき、各適用部材６ａは、２つの隣接する適用部材６ｂ間の距離の実質的に半分にわたって延在している。このことは、適用部材６ａ，６ｂの関係を逆にしても成立する。
【０２８５】
考慮している例においては、適用部材６の頂部２０のすべては、実質的に同じ方向を向いている。
【０２８６】
コア１５の同じ側に配置された２つの隣り合う適用部材の底部２２は、それらの間に、コア１５とともに、物質の貯蔵源を構成し得るキャビティ２３を形成する。
【０２８７】
適用部材６ａまたは６ｂの間の間隔は、アプリケータがまつ毛をつかむ能力を失うことなく採取し得る物質の量を増加させるため、相対的に大きなものとすることができる。これは、複数の適用部材を交互的に配置することにより、また、適用部材の頂部２０により形成されたグルーブ２１を十分に狭いままとすることにより、可能である。
【０２８８】
適用部材６は、本発明の範囲を超えることなく多くの構成を示すことができ、特に頂部は異なる方法で配置することができる。
【０２８９】
適用部材６が支持部の５上で異なる様式で配置されることは、本発明の範囲を超えない。
【０２９０】
図５および図６は、列１０に沿って存在する複数の歯６、例えば７つの歯６を含むアプリケータの別の例を示す。図６において見られるように、歯６は、整列している底部２２を有するが、２つの隣り合う歯６ａおよび６ｂの頂部２０は発散している。
【０２９１】
図７は、支持部５の軸線Ｙと一致する長手方向軸線Ｘを有するステム４を製造することが可能であることを示している。
【０２９２】
図８においては、ステム４の長手方向軸線Ｘに対してゼロでない角度αを形成している長手方向軸線Ｙを有した支持部５が示されており、図８における支持部の傾きの方向は、図１〜図４の支持部の傾きと反対である。
【０２９３】
支持部５は、図９に示すように、例えばプラスチック材料を成形することによりステム４と一体に製造することができる。しかしながら、支持部５は、ステム４に連結されることもできる。
【０２９４】
図１０に示す実施形態においては、支持部５は、円形のチャネル３６を有する実質的に円筒状のチップ３５を備えている。ステム４は、チャネル３６にカチッとはまるように構成された円形のビード３８を有する相補的なハウジング３７を備えている。
【０２９５】
チップ３５は、また、ステム４内へと強制的な嵌合し得るものとして構成することもできる。
【０２９６】
図１１の実施形態においては、ステム４は、支持部５の相補的なハウジング４１内に収容され得るように構成された実質的に円筒状のチップ４０を備えている。
【０２９７】
アプリケータ３を構成する歯の数は、６または７未満とすることができ、特に図１２に示すように、２本だけの歯６とすることができる。歯はすべて同じ幅を有する必要はない。
【０２９８】
図１３〜図１７に示すように、適用部材６の自由端３０を連結する線Ｌは、図１〜図１１に示された以外の様々な形状のものとすることができる。
【０２９９】
特に、線Ｌは、丸みを帯びていても良く、特に図１３に示すように実質的に円形または図１４に示すように弾丸形とすることができる。極点は、上に示すように支持部５の実質的に中央に据えられていてもよいし、または図１５に示すようにステム４のより近くであってもよく、または図１６に示すようにアプリケータの先端に近くてもよい。支持部５の長手方向軸線Ｙからの線Ｌの距離は、図１７に示すように、２つの極点を通過してもよい。
【０３００】
図１３により、支持部５が丸みを帯びたノーズ１７および／または膨らみ１８を有する必要はないことを、理解されるであろう。
【０３０１】
この図には、線Ｄ１ およびＤ２ ，並びに最長の適用部材の自由端を通る支持部５の長手方向軸線Ｙに対する垂線Ｎもまた見られる。垂線は、この例においては、１つしかない。
【０３０２】
線Ｄ１ および法線Ｎの間に形成される角度γ１ 、および線Ｄ２ および法線Ｎの間に形成される角度γ２ は、同じであっても異なっていてもよく、例えば上に与えられた値の範囲である。
【０３０３】
図１７の例においては、第一の相対的な極点にかかる適用部材の自由端を通る法線Ｎに対する角度γ１ およびγ２ 、および第二の相対的な極点に対応する適用部材の自由端を通る法線Ｎに対する角度γ’１ およびγ’２ のすべてを定義することができ、これらの角度は、また、同様に例えば上で与えられた値の範囲とされる。
【０３０４】
図１８は、支持部５が２列の適用部材、例えば支持部５のコア１５について互いに反対に据えられた２列の適用部材を有することが可能であることを示している。適用部材は、列ごとに異なって存在していてもよく、詳細には、図１８に示すように、アプリケータ３が側面から観察されるとき、異なるプロファイルを有することができる。
【０３０５】
断面図において、コア１５は、図１９、図２０、および図２２に示すように、円形、または何か他の形、例えば平らな形、図２１に示すように特に実質的に直線の形を有することができる。
【０３０６】
支持部５は、図１９に示すように整列した１列の歯を有することができ、または異なる方向、例えば図２０に示すように発散する方向、または図２１に示すように平行な方向に延在する複数の列の歯を有することができる。
【０３０７】
例えば、図２２は、支持部５のコア１５の周りにすべて配置された複数の列１０を有するアプリケータを示している。
【０３０８】
適用部材が側面から観察されたとき、適用部材６は、図１〜図２２において示すように、少なくともその長さの一部にわたって、実質的に一定である幅のプロファイルを有することができる。しかしながら、適用部材６が異なるプロファイルを有することは可能であり、図２３に示すように、特に実質的に三角形であるプロファイル、またはさらに何か他のプロファイルを有することが可能である。
【０３０９】
図２４に示すように、適用部材は、ジグザグ型に配置することができる。
【０３１０】
ワイパー部材８は、本発明の範囲を超えることなく、図１に示されたものとは異なるものとすることができる。例えば、図２５に示すように、デバイスのワイパー部材８は、気泡物質（cellular  material）、特に開いている、または閉じられたセルを有するフォームにより構成することができる。
【０３１１】
変形例においては、ワイパー部材８は、図２６に示すように、少なくとも１つのスリット５０を有する弾性体により構成することができる。ワイパー部材８は、図２７に示すように、下端以外の場所に、円形のリップ５１を有することができる。
【０３１２】
適用部材は歯を有していなくてもよい。例えば、支持部に嵌め込まれた荒毛を図２８に示すように有することができる。その場合、アプリケータ３は、例えば、支持部の長手方向軸線Ｙに対して実質的に横向きに延在している荒毛６０を有するブラシを構成し、該軸線は示されているように、ステム４の長手方向軸線Ｘと一致することができる。
【０３１３】
考慮している例においては、荒毛は、支持部の長手方向軸線Ｙに沿って距離ｄにわたって延在し、支持部は、荒毛が、メイクアップされるべきまつ毛または眉毛フリンジの４分の１以上とは同時に接触し得ないようなものである。距離ｄは、例えば約２ｍｍ〜約３ｍｍの範囲とすることができ、撚回転の数は、例えば３〜６の範囲とすることができる。
【０３１４】
図２８に示すように、アプリケータ３が側面から観察されたとき、荒毛の自由端を連結する線Ｌは、少なくとも１つの極点を通る軸線Ｙからの距離を有することができる。
【０３１５】
アプリケータ３がブラシを構成するとき、使用される荒毛６０は、比較的細いものであり、例えば約６／１００ｍｍの直径を有する。
【０３１６】
荒毛６０は、中実なものとすることができ、実質的に円形である断面を有し得る。
【０３１７】
コア６１は、枝が一緒にねじられて、荒毛をそれらの間に固定することができるようにされたＵ字型に折り曲げられた金属ワイヤにより形成することができる。
【０３１８】
使用される金属ワイヤは、好ましくは比較的細いものであり、例えば０．７ｍｍ未満、特に０．３５〜０．５ｍｍの範囲である。
【０３１９】
図２９〜図３５は、アプリケータの他の変形例を示している。
【０３２０】
図２９においては、アプリケータ３は、最長の荒毛がステム４の横に設置されている、実質的に円錐形、または円錐台形である外皮表面を有するブラシを備えている。
【０３２１】
最大寸法の断面を通過するブラシの長手方向軸線Ｙに対する垂線と、外皮表面に対する接線との間に形成される角度δは、例えば２０°〜６０°である。
【０３２２】
図３０のアプリケータ３は、実質的にバイコニカル形である外皮表面を有するブラシを構成するのに対し、図３１に示すブラシは、実質的に円錐形または円錐台形である外皮表面を有し、最短の荒毛はステム４の横にある。
【０３２３】
ブラシの長手方向軸線Ｙは、場合により、ステムの軸線Ｘと一直線になっていてもそうでなくても良い。
【０３２４】
軸線Ｙは、図３２〜図３５に示すように、ステムの軸線Ｘと角度αをなし得る。例えば、角度αは、約５°〜約４５°の範囲とすることができ、例えば約２０°とすることができる。
【０３２５】
ブラシの外皮表面Ｅは、図３６に示すように円形、または他の形、例えば多角形、長方形である断面を有することができ、またはノッチまたはギャップを有したものとすることができる。
【０３２６】
ねじられたコアが曲げられているとき、この曲げは、図３２〜図３５に示すように、ステム４の近くに設けることができる。
【０３２７】
図示されていない他の変形例においては、コアは曲げられている。
【０３２８】
図３７は、本発明の他の実施態様を示している。
【０３２９】
図３７は、本発明によるキットの一部を示している。このキットにおいては、本発明による組成物の一方が、フレキシブルチューブという形態とされた容器２内に収容されている。
【０３３０】
本発明の範囲を超えることなく、他の供給態様を使用することによって、例えばポンプタイプの供給態様を使用することによって、アプリケータ３上に組成物を適用することができる。
【０３３１】
図３８は、１つの同一のパッケージという形態とされた本発明によるキットを示している。パッケージは、本発明による組成物とアプリケータ３とを収容している容器２と；本発明による第２組成物と、アプリケータ３とは異なるものとし得る第２アプリケータ７１と、を収容している第２容器７０と；を備えている。例えば、アプリケータ７１は、従来的なマスカラブラシとすることができる。
【０３３２】
図３８に示す実施形態においては、容器２は、ネジ山付きの下スカート７２を備えたものとされ、容器７０のための閉塞キャップを構成している。
【０３３３】
アプリケータ７１は、例えば、まつ毛に対して第１の組成物を適用することができる。ユーザーは、その後、アプリケータ３を使用することによって、まつ毛フリンジの一部だけをメイクアップすることができる。有利には、まつ毛フリンジの３分の１未満をメイクアップすることができる。さらに好ましくは、まつ毛フリンジの３分の１を超えることなく、なおかつ、まつ毛フリンジの外側部分をメイクアップすることができる。
【０３３４】
２つの容器および２つのアプリケータを備えたデバイスの他の例は、図３９〜図４２に示されている。
【０３３５】
これらの例においては、アプリケータは、反対方向を向いており、これにより、各容器を、他方の容器に関連するアプリケータのための把持部材として使用することができる。
【０３３６】
図３９においては、デバイスは、マスカラブラシと、櫛を構成する本発明によるアプリケータ３と、を備えている。図４０のデバイスのアプリケータ３は、ブラシを構成する。マスカラブラシは、例えば、米国特許第５９３７８７０号、またはフランス国特許出願公開第２６０５５０５号において記載されたものから選択することができる。それらの内容は参照することにより本出願に取り込まれる。
【０３３７】
図４１のデバイスは、櫛と、櫛をも構成する本発明によるアプリケータ３と、を備えている。図４２におけるアプリケータは、櫛と、ブラシを構成する本発明によるアプリケータと、を備えている。図４１および図４２におけるアプリケータ７１の櫛は、例えば米国特許第６５８１６１０号、国際特許出願国際公開第０１／０５２７１号、または米国特許第６５３９９５０号に記載されたものから選択され、それらの内容は、参照することにより本出願に取り込まれる。
【０３３８】
図３９〜図４２の各デバイスは、それぞれ容器７０および２に関連する閉塞キャップ８２および７を連結するチューブ状スリーブ８０を備えている。例えば、閉塞キャップ８２および７は、スリーブ８０の中で摩擦、接着剤、またはスナップ留めすることにより連結することができる。
【０３３９】
図４３は、本発明によるキットを使用して本発明による方法に基づいてメイクアップされた目を示している。まつ毛フリンジの外側部分が、より多くの堆積材料を備えていることが、観察される。塊状物の形成がなく、特定のメイクアップ効果が得られている。
【０３４０】
言うまでもなく、本発明は、上記の実施態様に制限されない。様々な実施態様の特徴点どうしは、互いに組み合わせることができる。
【０３４１】
例示的な実施態様においては、適用部材は、ステムに対して、あるいは、ワイパー部材に対して、横向きに延在することができる。
【０３４２】
『方法』
本発明の１つの主題は、まつ毛をメイクアップするための、および／または、治療ではなくまつ毛をケアするための、方法であって、この方法においては、少なくとも１つの組成物（ｉ）からなる少なくとも１つのコーティングをまつ毛に対して適用し、少なくとも１つの組成物（ｉｉ）からなる少なくとも１つのコーティングをまつ毛に対して適用し、その際、組成物（ｉｉ）の適用ステップを、上述した適用手段を使用して行う。
【０３４３】
好ましい実施形態においては、組成物（ｉ）は、組成物（ｉｉ）の前に適用される。有利には、組成物（ｉｉ）は、さらに、まつ毛フリンジの一部だけに、適用される。これにより、異なるチャージという観点において、コントラストの生成が最適となる。
【０３４４】
よって、メイクアップ方法においては、以下のステップを行うことができる。
−実質的にすべてのまつ毛フリンジに対して、本発明による少なくとも１つの第１組成物（ｉ）からなる少なくともコーティングを適用し、これにより、第１成膜物を形成し；
−まつ毛フリンジの外側において３分の１を超えない部分において、第１成膜物上に、本発明による少なくとも１つの第２組成物（ｉｉ）からなる少なくともコーティングによって第２成膜物を形成する。
【０３４５】
例えば、第１組成物が完全に乾く前に、第２成膜物を形成することができる。
【０３４６】
第２部分は、まつ毛フリンジの全長の少なくとも６分の１にわたって延在することができる。
【０３４７】
メイクアップされるフリンジは、上まぶたのまつ毛のフリンジとすることができる。
【０３４８】
他の特定の実施形態においては、組成物（ｉ）は、すべてのまつ毛フリンジに対して適用され、組成物（ｉｉ）は、まつ毛フリンジの３分の１を超えない部分に対してのみ適用される、好ましくは、まつ毛フリンジの外側部分において３分の１を超えない部分に対して適用される、より好ましくは、まつ毛フリンジの４分の１を超えない部分に対して適用される。
【０３４９】
まつ毛フリンジのうちの、組成物（ｉ）を成膜し得る部分は、まつ毛フリンジの全長の８分の１〜３分の１とすることができ、好ましくは、４分の１〜３分の１とすることができる。
【０３５０】
本発明は、以下の様々な実験例によって例示される。特に断らない限り、含有量は、質量％によって表されている。
【０３５１】
【表１】
2007289696.tif 000007
【０３５２】
【表２】
2007289696.tif 000008
【０３５３】
ワックスと界面活性剤とを、中程度に攪拌することによって混合物を均一化しつつ、９０°Ｃにまで加熱した。次に、９０°Ｃに加熱した水を、攪拌を継続しつつ、添加した。混合物を室温にまで冷却し、エタノールを添加した。これにより、約１７０ｎｍという平均粒子直径を有したワックスミクロ分散液を得た。
【０３５４】
【表３】
2007289696.tif 000009
【０３５５】
上述したような組成物（ｉ），（ｉｉ）のすべての組合せを、想定することができる。
【０３５６】
例えばブラシまたは櫛とされたような適用手段を使用することによって、まつ毛フリンジに対して、１つの組成物（ｉ）からなる１つの少なくとも１つのコーティングが適用され；そして、図３に関して上述したアプリケータを使用することによって、まつ毛の外側部分に対して、１つの組成物（ｉｉ）からなる１つの少なくとも１つのコーティングが適用される。まつ毛の外側部分は、より多くチャージされ、より大きく湾曲される。このメイクアップにより、目の外側コーナー領域を強調しつつ、強調された外観性が目に対して付与される。
【０３５７】
これにより、図４３に示すような特定のメイクアップ効果が得られる。すなわち、凝視度合いを向上させて目を大きくする効果が得られ、付加的には、目の輪郭の認識の仕方が変更される。このようなメイクアップ効果は、特に、組成物（ｉｉ）がまつ毛フリンジの３分の１を超えないようにして適用された際に、顕著である。
【０３５８】
特定の実施形態においては、上述の方法において、実験例２に記載された組成物が、組成物（ｉ）として使用され、実験例７に記載された組成物が、組成物（ｉｉ）として使用される。
【図面の簡単な説明】
【０３５９】
【図１】キットを部分的に破断して示す正面図であって、この場合、キットは、２つの個別のパッケージを有した形態のものとされ、特に、パッケージは、本願発明による適用手段と、本発明による２つの組成物のうちの一方の組成物と、を備えている。
【図２】本発明によるアプリケータの使用状況を示す図である。
【図３】図１のアプリケータの一部を示す概略的な側面図である。
【図４】図１のアプリケータの一部を示す概略的な斜視図である。
【図５】図３と同様の図であって、アプリケータの一変形例を示している。
【図６】図４と同様の図であって、図５のアプリケータを示している。
【図７】図１のアプリケータの他の変形例の一部を概略的に示す側面図である。
【図８】図１のアプリケータのさらに他の変形例の一部を概略的に示す側面図である。
【図９】図１のアプリケータのなおも他の変形例の一部を概略的に示す側面図である。
【図１０】アプリケータステムに対しての支持部の取付に関する一例を、部分的に破断して示す概略的な図である。
【図１１】アプリケータステムに対しての支持部の取付に関する他の例を、部分的に破断して示す概略的な図である。
【図１２】アプリケータの変形例を概略的に示す側面図である。
【図１３】本発明によるアプリケータの様々なプロファイルを概略的に示す部分的な側面図である。
【図１４】本発明によるアプリケータの様々なプロファイルを概略的に示す部分的な側面図である。
【図１５】本発明によるアプリケータの様々なプロファイルを概略的に示す部分的な側面図である。
【図１６】本発明によるアプリケータの様々なプロファイルを概略的に示す部分的な側面図である。
【図１７】本発明によるアプリケータの様々なプロファイルを概略的に示す部分的な側面図である。
【図１８】２列をなす適用部材を備えたような、アプリケータの変形例の一部を示す概略的な側面図である。
【図１９】１列以上の適用部材を有する様々なアプリケータを示す横断面図である。
【図２０】１列以上の適用部材を有する様々なアプリケータを示す横断面図である。
【図２１】１列以上の適用部材を有する様々なアプリケータを示す横断面図である。
【図２２】１列以上の適用部材を有する様々なアプリケータを示す横断面図である。
【図２３】適用部材の様々な構成を示す側面図である。
【図２４】適用部材の様々な構成を示す側面図である。
【図２５】図１のキットの変形例の一部を示す図であって、他のワイパー部材を備えている。
【図２６】本発明によるキットにおいて使用可能なワイパー部材の他の例を部分的にかつ概略的に示す軸線方向断面図である。
【図２７】本発明によるキットにおいて使用可能なワイパー部材のさらに他の例を部分的にかつ概略的に示す軸線方向断面図である。
【図２８】図１の変形例を示す図であって、ブラシを備えている。
【図２９】ブラシの様々な変形例を部分的にかつ概略的に示す図である。
【図３０】ブラシの様々な変形例を部分的にかつ概略的に示す図である。
【図３１】ブラシの様々な変形例を部分的にかつ概略的に示す図である。
【図３２】ブラシの様々な変形例を部分的にかつ概略的に示す図である。
【図３３】ブラシの様々な変形例を部分的にかつ概略的に示す図である。
【図３４】ブラシの様々な変形例を部分的にかつ概略的に示す図である。
【図３５】ブラシの様々な変形例を部分的にかつ概略的に示す図である。
【図３６】図２８のブラシを概略的に示す横断面図である。
【図３７】フレキシブルチューブを使用して適用部材上へと本発明による組成物を適用する一実施態様を部分的にかつ概略的に示す斜視図である。
【図３８】１つの同一のパッケージという態様とされたような本発明によるキットを概略的に示す軸線方向断面図である。
【図３９】１つの同一のパッケージという態様とされたような本発明によるキットを概略的に示す軸線方向断面図である。
【図４０】１つの同一のパッケージという態様とされたような本発明によるキットを概略的に示す軸線方向断面図である。
【図４１】１つの同一のパッケージという態様とされたような本発明によるキットを概略的に示す軸線方向断面図である。
【図４２】１つの同一のパッケージという態様とされたような本発明によるキットを概略的に示す軸線方向断面図である。
【図４３】本発明によるメイクアップ方法に基づいて得られるタイプのメイクアップを示す図である。
【符号の説明】
【０３６０】
４  ステム
５  支持部
６  適用部材
１０  列
３０  自由端
６０  適用部材
６１  支持部
Ｙ  長手方向軸線
【図１】
2007289696.tif 000010
【図２】
2007289696.tif 000011
【図３】
2007289696.tif 000012
【図４】
2007289696.tif 000013
【図５】
2007289696.tif 000014
【図６】
2007289696.tif 000015
【図７】
2007289696.tif 000016
【図８】
2007289696.tif 000017
【図９】
2007289696.tif 000018
【図１０】
2007289696.tif 000019
【図１１】
2007289696.tif 000020
【図１２】
2007289696.tif 000021
【図１３】
2007289696.tif 000022
【図１４】
2007289696.tif 000023
【図１５】
2007289696.tif 000024
【図１６】
2007289696.tif 000025
【図１７】
2007289696.tif 000026
【図１８】
2007289696.tif 000027
【図１９】
2007289696.tif 000028
【図２０】
2007289696.tif 000029
【図２１】
2007289696.tif 000030
【図２２】
2007289696.tif 000031
【図２３】
2007289696.tif 000032
【図２４】
2007289696.tif 000033
【図２５】
2007289696.tif 000034
【図２６】
2007289696.tif 000035
【図２７】
2007289696.tif 000036
【図２８】
2007289696.tif 000037
【図２９】
2007289696.tif 000038
【図３０】
2007289696.tif 000039
【図３１】
2007289696.tif 000040
【図３２】
2007289696.tif 000041
【図３３】
2007289696.tif 000042
【図３４】
2007289696.tif 000043
【図３５】
2007289696.tif 000044
【図３６】
2007289696.tif 000045
【図３７】
2007289696.tif 000046
【図３８】
2007289696.tif 000047
【図３９】
2007289696.tif 000048
【図４０】
2007289696.tif 000049
【図４１】
2007289696.tif 000050
【図４２】
2007289696.tif 000051
【図４３】
2007289696.tif 000052
【外国語明細書】
2007289696.tif 000053
2007289696.tif 000054
2007289696.tif 000055
2007289696.tif 000056
2007289696.tif 000057
2007289696.tif 000058
2007289696.tif 000059
2007289696.tif 000060
2007289696.tif 000061
2007289696.tif 000062
2007289696.tif 000063
2007289696.tif 000064
2007289696.tif 000065
2007289696.tif 000066
2007289696.tif 000067
2007289696.tif 000068
2007289696.tif 000069
2007289696.tif 000070
2007289696.tif 000071
2007289696.tif 000072
2007289696.tif 000073
2007289696.tif 000074
2007289696.tif 000075
2007289696.tif 000076
2007289696.tif 000077
2007289696.tif 000078
2007289696.tif 000079
2007289696.tif 000080
2007289696.tif 000081
2007289696.tif 000082
2007289696.tif 000083
2007289696.tif 000084
2007289696.tif 000085
2007289696.tif 000086
2007289696.tif 000087
2007289696.tif 000088
2007289696.tif 000089
2007289696.tif 000090
2007289696.tif 000091
2007289696.tif 000092
2007289696.tif 000093
2007289696.tif 000094
2007289696.tif 000095
2007289696.tif 000096
2007289696.tif 000097
2007289696.tif 000098
2007289696.tif 000099
2007289696.tif 000100
2007289696.tif 000101
2007289696.tif 000102
2007289696.tif 000103
2007289696.tif 000104
2007289696.tif 000105
2007289696.tif 000106
2007289696.tif 000107
2007289696.tif 000108
2007289696.tif 000109
2007289696.tif 000110
2007289696.tif 000111
2007289696.tif 000112
2007289696.tif 000113
2007289696.tif 000114
2007289696.tif 000115
2007289696.tif 000116
2007289696.tif 000117
2007289696.tif 000118
2007289696.tif 000119
2007289696.tif 000120
2007289696.tif 000121
2007289696.tif 000122
2007289696.tif 000123
2007289696.tif 000124
2007289696.tif 000125
2007289696.tif 000126
2007289696.tif 000127
2007289696.tif 000128
2007289696.tif 000129
2007289696.tif 000130
2007289696.tif 000131
2007289696.tif 000132
2007289696.tif 000133
2007289696.tif 000134